(57)【要約】  本開示は、情報検出方法、情報伝送方法、端末及びネットワーク機器を開示する。この方法において、早期指示信号が存在する時刻である第１時刻と、早期指示信号に対応する物理下り制御チャネルＰＤＣＣＨが存在する時刻である第２時刻との間の時間ギャップを取得することと、時間ギャップに基づいて、早期指示信号が存在する時刻又は早期指示信号に対応するＰＤＣＣＨが存在する時刻を特定することとを含む。
2021519044.tif 000002
【特許請求の範囲】
【請求項１】
端末に応用される情報検出方法であって、
早期指示信号が存在する時刻である第１時刻と、前記早期指示信号に対応するＰＤＣＣＨ（Ｐｈｙｓｉｃａｌ  Ｄｏｗｎｌｉｎｋ  Ｃｏｎｔｒｏｌ  Ｃｈａｎｎｅｌ）が存在する時刻である第２時刻との間の時間ギャップを取得することと、
前記時間ギャップに基づいて、前記早期指示信号が存在する時刻又は前記早期指示信号に対応するＰＤＣＣＨが存在する時刻を特定することとを含む、情報検出方法。
【請求項２】
前記の前記時間ギャップに基づいて、前記早期指示信号に対応するＰＤＣＣＨが存在する時刻を特定することは、
前記第１時刻が特定された場合、前記第１時刻と前記時間ギャップとに基づいて、前記早期指示信号に対応するＰＤＣＣＨが存在する時刻を特定することを含む、請求項１に記載の情報検出方法。
【請求項３】
前記の前記時間ギャップに基づいて、前記早期指示信号が存在する時刻を特定することは、
前記第２時刻が特定された場合、前記第２時刻と前記時間ギャップとに基づいて、前記早期指示信号が存在する時刻を特定することを含む、請求項１に記載の情報検出方法。
【請求項４】
前記の前記早期指示信号が存在する時刻を特定することは、
前記早期指示信号の最大持続時間の開始時刻又は終了時刻を特定すること、
又は、
前記早期指示信号の実際持続時間の開始時刻又は終了時刻を特定することを含む、請求項３に記載の情報検出方法。
【請求項５】
前記実際持続時間は、少なくとも一つであり、且つ各実際持続時間の開始時刻が前記早期指示信号の最大持続時間の開始時刻とは同じであり、
又は、前記実際持続時間は、少なくとも一つであり、且つ各実際持続時間の終了時刻が前記最大持続時間の終了時刻とは同じである、請求項４に記載の情報検出方法。
【請求項６】
前記実際持続時間が少なくとも２つである場合、前記の前記早期指示信号の実際持続時間の開始時刻又は終了時刻を特定することの後に、
少なくとも２つの実際持続時間に対しブラインド検出を行うことを更に含む、請求項４に記載の情報検出方法。
【請求項７】
前記第１時刻は、前記早期指示信号の最大持続時間の開始時刻又は終了時刻であり、又は、前記第１時刻は、前記早期指示信号の実際持続時間の開始時刻又は終了時刻である、請求項１に記載の情報検出方法。
【請求項８】
前記第２時刻は、前記ＰＤＣＣＨが存在する時間領域伝送単位の開始時刻又は終了時刻であり、ここで、前記時間領域伝送単位は、時間領域シンボル、サブフレーム及びスロットのいずれか１つを含む、請求項１に記載の情報検出方法。
【請求項９】
前記時間ギャップの時間長は、
前記早期指示信号を受信する受信機のタイプと、
前記端末が前記早期指示信号のみに基づいて下り同期を行う挙動、又は、前記端末が前記早期指示信号及び同期信号ブロックに基づいて下り同期を行う挙動、又は、前記端末が同期信号ブロックのみに基づいて下り同期を行う挙動を含む端末の所定挙動と、
前記早期指示信号の周波数領域伝送リソース及び前記早期指示信号に対応するＰＤＣＣＨの周波数領域伝送リソースと、の少なくとも１つに関連する、請求項１に記載の情報検出方法。
【請求項１０】
前記第１時刻又は前記第２時刻は、ネットワーク機器によって前記端末に設定され、
又は、前記第１時刻又は前記第２時刻は、前記端末の識別情報に基づいて前記端末によって特定される、請求項１に記載の情報検出方法。
【請求項１１】
前記時間ギャップは、前記端末によって特定され、
又は、前記時間ギャップは、ネットワーク機器によって前記端末に設定され、
又は、前記時間ギャップは、プロトコルによって予め定義される、請求項１に記載の情報検出方法。
【請求項１２】
前記時間ギャップは、ブロードキャストシグナリング、ＲＲＣ（Ｒａｄｉｏ  Ｒｅｓｏｕｒｃｅ  Ｃｏｎｔｒｏｌ）シグナリング、ＭＡＣ（Ｍｅｄｉａ  Ａｃｃｅｓｓ  Ｃｏｎｔｒｏｌ）ＣＥ（Ｃｏｎｔｒｏｌ  Ｅｌｅｍｅｎｔ）及びＰＤＣＣＨのうちの少なくとも１つを含む所定シグナリングを介して、前記ネットワーク機器によって１つの端末又は端末群に設定される、請求項１１に記載の情報検出方法。
【請求項１３】
前記時間ギャップがネットワーク機器によって前記端末に設定される場合、又は、前記時間ギャップがプロトコルによって予め定義される場合、前記の前記第１時刻と前記第２時刻との間の時間ギャップを取得することの後に、
前記早期指示信号に基づいて下り同期を行う方式、又は、前記早期指示信号及び同期信号ブロックに基づいて下り同期を行う方式、又は、同期信号ブロックに基づいて下り同期を行う方式を含む下り同期の目標同期方式を、前記時間ギャップに基づいて特定することを更に含む、請求項１１に記載の情報検出方法。
【請求項１４】
早期指示信号が存在する時刻である第１時刻と、前記早期指示信号に対応するＰＤＣＣＨが存在する時刻である第２時刻との間の時間ギャップを取得するための第１取得モジュールと、
前記時間ギャップに基づいて、前記早期指示信号が存在する時刻又は前記早期指示信号に対応するＰＤＣＣＨが存在する時刻を特定するための第１特定モジュールとを含む、端末。
【請求項１５】
プロセッサと、メモリと、前記メモリに記憶され、前記プロセッサで動作可能なコンピュータプログラムとを含む端末であって、
前記コンピュータプログラムが前記プロセッサによって実行されると、前記プロセッサは、請求項１〜１３のいずれか１項に記載の情報検出方法を実現する、端末。
【請求項１６】
ネットワーク機器に応用される情報伝送方法であって、
早期指示信号が存在する時刻である第１時刻と、前記早期指示信号に対応するＰＤＣＣＨが存在する時刻である第２時刻との間の時間ギャップを取得することと、
前記時間ギャップに基づいて、前記早期指示信号を伝送する時刻又は前記早期指示信号に対応するＰＤＣＣＨを伝送する時刻を特定することとを含む、情報伝送方法。
【請求項１７】
前記の前記時間ギャップに基づいて、前記早期指示信号に対応するＰＤＣＣＨを伝送する時刻を特定することは、
前記第１時刻が特定された場合、前記第１時刻と前記時間ギャップとに基づいて、前記早期指示信号に対応するＰＤＣＣＨを伝送する時刻を特定することを含む、請求項１６に記載の情報伝送方法。
【請求項１８】
前記の前記時間ギャップに基づいて、前記早期指示信号を伝送する時刻を特定することは、
前記第２時刻が特定された場合、前記第２時刻と前記時間ギャップとに基づいて、前記早期指示信号を伝送する時刻を特定することを含む、請求項１６に記載の情報伝送方法。
【請求項１９】
前記の前記早期指示信号を伝送する時刻を特定することは、
前記早期指示信号を伝送する最大持続時間の開始時刻又は終了時刻を特定すること、
又は、
前記早期指示信号を伝送する実際持続時間の開始時刻又は終了時刻を特定することを含む、請求項１８に記載の情報伝送方法。
【請求項２０】
前記実際持続時間は、少なくとも一つであり、且つ各実際持続時間の開始時刻が前記早期指示信号の最大持続時間の開始時刻とは同じであり、
又は、前記実際持続時間は、少なくとも一つであり、且つ各実際持続時間の終了時刻が前記最大持続時間の終了時刻とは同じである、請求項１９に記載の情報伝送方法。
【請求項２１】
前記第１時刻は、前記早期指示信号の最大持続時間の開始時刻又は終了時刻であり、又は、前記第１時刻は、前記早期指示信号の実際持続時間の開始時刻又は終了時刻である、請求項１６に記載の情報伝送方法。
【請求項２２】
前記第２時刻は、前記ＰＤＣＣＨが存在する時間領域伝送単位の開始時刻又は終了時刻であり、ここで、前記時間領域伝送単位は、時間領域シンボル、サブフレーム及びスロットのいずれか１つを含む、請求項１６に記載の情報伝送方法。
【請求項２３】
前記時間ギャップの時間長は、
前記早期指示信号を受信する受信機のタイプと、
前記端末が前記早期指示信号のみに基づいて下り同期を行う挙動、又は、前記端末が前記早期指示信号及び同期信号ブロックに基づいて下り同期を行う挙動、又は、前記端末が同期信号ブロックのみに基づいて下り同期を行う挙動を含む端末の所定挙動と、
前記早期指示信号の周波数領域伝送リソース及び前記早期指示信号に対応するＰＤＣＣＨの周波数領域伝送リソースと、の少なくとも１つに関連する、請求項１６に記載の情報伝送方法。
【請求項２４】
前記時間ギャップは、前記端末によって特定されて報告され、
又は、前記時間ギャップは、ネットワーク機器によって特定され、
又は、前記時間ギャップは、プロトコルによって予め定義される、請求項１６に記載の情報伝送方法。
【請求項２５】
前記時間ギャップがネットワーク機器によって特定される場合、前記の前記第１時刻と前記第２時刻との間の時間ギャップを取得することの後に、
ブロードキャストシグナリング、ＲＲＣシグナリング、ＭＡＣ  ＣＥ及びＰＤＣＣＨのうちの少なくとも１つを含む所定シグナリングを介して、前記時間ギャップを前記端末に送信することを更に含む、請求項２４に記載の情報伝送方法。
【請求項２６】
早期指示信号が存在する時刻である第１時刻と、前記早期指示信号に対応するＰＤＣＣＨが存在する時刻である第２時刻との間の時間ギャップを取得するための第２取得モジュールと、
前記時間ギャップに基づいて、前記早期指示信号を伝送する時刻又は前記早期指示信号に対応するＰＤＣＣＨを伝送する時刻を特定するための第３特定モジュールとを含む、ネットワーク機器。
【請求項２７】
プロセッサと、メモリと、前記メモリに記憶され、前記プロセッサで動作可能なコンピュータプログラムとを含むネットワーク機器であって、
前記プロセッサは、前記コンピュータプログラムを実行すると、請求項１６〜２５のいずれか１項に記載の情報伝送方法を実現する、ネットワーク機器。
【発明の詳細な説明】
【技術分野】
【０００１】
本願は、２０１８年２月１２日に中国特許庁に提出された中国特許出願２０１８１０１４７４９０．６の優先権を主張し、その全ての内容が援用によりここに取り込まれる。
本開示は、通信技術分野に係り、特に情報検出方法、情報伝送方法、端末及びネットワーク機器に係る。
【背景技術】
【０００２】
４Ｇ（４ｔｈ  Ｇｅｎｅｒａｔｉｏｎ）及び５Ｇ（５ｔｈ  Ｇｅｎｅｒａｔｉｏｎ）通信システムの非連続受信ＤＲＸ（Ｄｉｓｃｏｎｔｉｎｕｏｕｓ  Ｒｅｃｅｐｔｉｏｎ）シーンにおいて、ページング（Ｐａｇｉｎｇ）信号又は物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）のブラインド検出の電力消費を更に節約するために、ウェイクアップ信号ＷＵＳ（ｗａｋｅ−ｕｐ  ｓｉｇｎａｌ）及びスリープ信号ＧＴＳ（Ｇｏ  Ｔｏ  Ｓｌｅｅｐ  Ｓｉｇｎａｌ）の概念が提案されている。ＷＵＳ又はＧＴＳの検出は、Ｐａｇｉｎｇ信号又はＰＤＣＣＨのブラインド検出よりも、複雑度が低くかつより省電力である。ＷＵＳ又はＧＴＳは、次のＤＲＸ周期でＰＤＣＣＨの検出が行われるか否かを指示することができるが、ＷＵＳ、ＧＴＳ及びそれが指示するＰＤＣＣＨに検出を行う時点を特定することはできない。
【発明の概要】
【解決しようとする技術課題】
【０００３】
本開示の一部実施例は、従来技術で端末がＷＵＳ、ＧＴＳ及びＰＤＣＣＨの検出位置を特定することができないという問題を解決するために、情報検出方法、伝送方法、端末及びネットワーク機器を提供する。
【課題を解決するための手段】
【０００４】
第１方面において、本開示の一部実施例は、端末に応用される情報検出方法を提供し、早期指示信号が存在する時刻である第１時刻と、早期指示信号に対応するＰＤＣＣＨが存在する時刻である第２時刻との間の時間ギャップを取得することと、時間ギャップに基づいて、早期指示信号が存在する時刻又は早期指示信号に対応するＰＤＣＣＨが存在する時刻を特定することとを含む。
【０００５】
第２方面において、本開示の一部実施例は、早期指示信号が存在する時刻である第１時刻と、早期指示信号に対応するＰＤＣＣＨが存在する時刻である第２時刻との間の時間ギャップを取得するための第１取得モジュールと、時間ギャップに基づいて、早期指示信号が存在する時刻又は早期指示信号に対応するＰＤＣＣＨが存在する時刻を特定するための第１特定モジュールとを含む端末を更に提供する。
【０００６】
第３方面において、本開示の一部実施例は、プロセッサと、メモリと、メモリに記憶され、プロセッサで動作可能なコンピュータプログラムとを含む端末を提供し、コンピュータプログラムがプロセッサによって実行されると、上記の情報検出方法が実現される。
【０００７】
第４方面において、本開示の一部実施例は、コンピュータプログラムが記憶されているコンピュータ読み取り可能な記憶媒体を提供し、コンピュータプログラムがプロセッサによって実行されると、前記プロセッサは、上記の情報検出方法を実現する。
【０００８】
第５方面において、本開示の一部実施例は、ネットワーク機器に応用される情報伝送方法を提供し、早期指示信号が存在する時刻である第１時刻と、早期指示信号に対応するＰＤＣＣＨが存在する時刻である第２時刻との間の時間ギャップを取得することと、時間ギャップに基づいて、早期指示信号を伝送する時刻又は早期指示信号に対応するＰＤＣＣＨを伝送する時刻を特定することとを含む。
【０００９】
第６方面において、本開示の一部実施例は、早期指示信号が存在する時刻である第１時刻と、早期指示信号に対応するＰＤＣＣＨが存在する時刻である第２時刻との間の時間ギャップを取得するための第２取得モジュールと、時間ギャップに基づいて、早期指示信号を伝送する時刻又は早期指示信号に対応するＰＤＣＣＨを伝送する時刻を特定するための第３特定モジュールとを含むネットワーク機器を提供する。
【００１０】
第７方面において、本開示の一部実施例は、プロセッサと、メモリと、メモリに記憶され、プロセッサで動作可能なコンピュータプログラムとを含むネットワーク機器を更に提供し、プロセッサは、コンピュータプログラムを実行すると、上記の情報伝送方法を実現する。
【００１１】
第８方面において、本開示の一部実施例は、コンピュータプログラムが記憶されているコンピュータ読み取り可能な記憶媒体を提供し、コンピュータプログラムがプロセッサによって実行されると、前記プロセッサは、上記の情報伝送方法を実現する。
【発明の効果】
【００１２】
このように、本開示の一部実施例において、第１時刻と第２時刻との間の時間ギャップを特定し、この時間ギャップに基づいて、早期指示信号の時刻又は早期指示信号に対応するＰＤＣＣＨの時刻を特定することによって、対応する時刻になると、端末が検出を行うことができるので、端末によるブラインド検出の複雑度及び検出の電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【図面の簡単な説明】
【００１３】
本開示の一部実施例の技術手段をより明確に説明するために、以下、本開示の一部実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１４】
【図１】ＤＲＸ周期の時間領域の概略図である。
【図２】本開示の一部実施例における情報検出方法のフローチャートである。
【図３】本開示の一部実施例におけるＤＲＸ周期の時間領域の概略図である。
【図４】本開示の一部実施例における早期指示信号とＰＤＣＣＨとの間のリソース位置の概略図その１である。
【図５】本開示の一部実施例における早期指示信号とＰＤＣＣＨとの間のリソース位置の概略図その２である。
【図６】本開示の一部実施例における端末のモジュール構造図である。
【図７】本開示の一部実施例における端末のブロック図である。
【図８】本開示の一部実施例における情報伝送方法のフローチャートである。
【図９】本開示の一部実施例におけるネットワーク機器のモジュール構造図である。
【図１０】本開示の一部実施例におけるネットワーク機器のブロック図である。
【発明を実施するための形態】
【００１５】
以下、添付図面を参照して本開示の例示的な実施例を更に詳細に記載する。本開示の例示的な実施例を図面に示しているが、本開示は、ここで説明した実施例に限定されることなく様々な形態で実現されることが理解されるべきである。これらの実施例を示すことは、本開示をより徹底的に理解してもらい、本開示の範囲を当業者に全面的に伝えるためである。
【００１６】
本願の明細書及び特許請求の範囲における「第１」、「第２」などの用語は、類似対象を区別するためのものであり、特定の順番や前後順を記載するために用いられない。このようなデータは、ここに記載した本願の実施例が例えばここに図示又は記載したもの以外の順番でも実施できるように、適宜に交換可能であることが理解されるべきである。また、「含む」、「有する」及びそれらのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んてもよい。
【００１７】
４Ｇ及び５Ｇ通信システムにおける無線リソース制御層アイドル状態ＲＲＣ＿ｉｄｌｅ（Ｒａｄｉｏ  Ｒｅｓｏｕｒｃｅ  Ｃｏｎｔｒｏｌ  ｉｄｌｅ）にある端末は、ネットワーク機器から送信されるページング信号に、予め設定された時間で検出を行う必要がある。具体的なページング信号プロセスとして、ページング無線ネットワーク一時的識別子Ｐ−ＲＮＴＩ（Ｐａｇｉｎｇ  Ｒａｄｉｏ  Ｎｅｔｗｏｒｋ  Ｔｅｍｐｏｒａｒｙ  Ｉｄｅｎｔｉｔｙ）に対応するＰＤＣＣＨにブラインド検出を行い、このＰＤＣＣＨが検出されていない場合、今回の検出を終了し、ＰＤＣＣＨが存在することが検出された場合、このＰＤＣＣＨによって指示されるＰＤＳＣＨ（Ｐｈｙｓｉｃａｌ  Ｄｏｗｎｌｉｎｋ  Ｓｈａｒｅ  Ｃｈａｎｎｅｌ）に対して検出をさらに行い、検出されたＰＤＳＣＨがこの端末のページング信号でなければ、検出を終了する。ＲＲＣ＿ｉｄｌｅ状態では、端末は、ページング信号に対して検出を周期的に行い、毎回ＰＤＣＣＨとＰＤＳＣＨの検出は消費電力が大きいが、自身に属するページング信号を検出する確率は低いため、端末の省電力化に不利である。
【００１８】
非連続受信ＤＲＸ（Ｄｉｓｃｏｎｔｉｎｕｏｕｓ  Ｒｅｃｅｐｔｉｏｎ）シーンにおいて、ＤＲＸの基本メカニズムは、図１に示すように、接続（ＲＲＣ＿ｃｏｎｎｅｃｔｅｄ）状態にある端末のためのＤＲＸ周期（ｃｙｃｌｅ）を設定することである。図１は、ＤＲＸ周期の時間領域の概略図である。このＤＲＸ  ｃｙｃｌｅは、端末がＰＤＣＣＨを傍受して受信する活性化期間（Ｏｎ  Ｄｕｒａｔｉｏｎ）と、端末が下りチャネルのデータを受信せずに電力消費を節約する休止期間（Ｏｐｐｏｒｔｕｎｉｔｙ  ｆｏｒ  ＤＲＸ）とを含む。すなわち、時間領域において、時間は、１つずつ連続するＤＲＸ  ｃｙｃｌｅに分割される。ここで、ＤＲＸ開始オフセット（ｄｒｘＳｔａｒｔＯｆｆｓｅｔ）は、ＤＲＸ  ｃｙｃｌｅの開始サブフレームを指示することに用いられ、ロングＤＲＸ周期（ｌｏｎｇＤＲＸ−Ｃｙｃｌｅ）は、ｌｏｎｇ  ＤＲＸ  ｃｙｃｌｅが何個のサブフレームを占有するかを指示することに用いられる。ここで、この２つのパラメータは、ともにｌｏｎｇＤＲＸ−ＣｙｃｌｅＳｔａｒｔＯｆｆｓｅｔフィールドによって特定される。活性化期間タイマ（Ｏｎ  Ｄｕｒａｔｉｏｎ  Ｔｉｍｅｒ）は、ＤＲＸ  ｃｙｃｌｅの開始サブフレームから、ＰＤＣＣＨの傍受が必要な連続サブフレーム数（すなわち、活性化期間が持続するサブフレーム数）を指定する。
【００１９】
多くの場合において、あるサブフレームで１つの端末がスケジューリングされてデータを受信又は送信した後、次の複数のサブフレームにわたってスケジューリングされ続ける可能性が高く、次のＤＲＸ  ｃｙｃｌｅまで受信又は送信を待つと、これらのデータは、余分な遅延をもたらす。そのような遅延を低減するために、端末は、スケジューリングされた後に持続的に活性化期間にあり、すなわち、設定された活性化期間にＰＤＣＣＨを傍受し続ける。具体的には、端末は、初回データ伝送を行うようにスケジューリングされると、タイムアウトしない間に端末が常に活性化期間にある非活性化タイマ（ｄｒｘ−ＩｎａｃｔｉｖｉｔｙＴｉｍｅｒ）が起動又は再起動される。ここで、ｄｒｘ−ＩｎａｃｔｉｖｉｔｙＴｉｍｅｒは、初回伝送のＵＬ（Ｕｐｌｉｎｋ）又はＤＬ（Ｄｏｗｎｌｉｎｋ）ユーザデータを指示するＰＤＣＣＨを端末が正しく復号した後、活性状態に持続的に位置する連続サブフレーム数を指定する。すなわち、端末からの初回伝送データがスケジューリングされる毎に、このタイマが再起動する。
【００２０】
本開示の一部実施例は、端末に応用される情報検出方法を提供する。図２に示すように、この方法は、以下のステップ２１〜２２を含む。
【００２１】
ステップ２１において、第１時刻と第２時刻との間の時間ギャップを取得する。
【００２２】
ここで、第１時刻は、早期指示信号が存在する時刻であり、第２時刻は、早期指示信号に対応するＰＤＣＣＨが存在する時刻である。早期指示信号は、ウェイクアップ信号ＷＵＳ及びスリープ信号ＧＴＳの少なくとも１つを含む。第１時刻又は第２時刻は、ネットワーク機器によって端末に設定される。又は、第１時刻又は第２時刻は、端末の識別情報に基づいて端末によって特定される。
【００２３】
ＤＲＸシーンにおいて、Ｐａｇｉｎｇ信号又はＰＤＣＣＨのブラインド検出の電力消費を更に節約するために、ＷＵＳ及びＧＴＳの概念が提案されており、ここで、ＷＵＳとＧＴＳをまとめて早期指示信号という。ここで、ｉｄｌｅ状態又はＲＲＣ  ｃｏｎｎｅｃｔｅｄ状態の各ＤＲＸ周期において、又はＲＲＣ  ｃｏｎｎｅｃｔｅｄ状態（ＤＲＸ  ＯＦＦ）において、端末がＰａｇｉｎｇ信号又はＰＤＣＣＨに対してブラインド検出を行う前に、ネットワーク機器は、まず端末にＷＵＳを伝送し、端末は、対応する時刻に醒めてこのＷＵＳに対し検出を行う。端末がこのＷＵＳを検出すると、端末は、Ｐａｇｉｎｇ信号又はＰＤＣＣＨに対してブラインド検出を行う。そうでない場合、この端末は、Ｐａｇｉｎｇ信号又はＰＤＣＣＨに対してブラインド検出を行わず、休止し続ける。図３に示されるように、ネットワーク機器が端末にＷＵＳを設定すると仮定すると、端末は、物理チャネルでＷＵＳに対し検出を行い、ＷＵＳが検出されると、次のＤＲＸ周期内でＰＤＣＣＨ検出を行う必要があると特定し、ＷＵＳが検出されていなければ、次のＤＲＸ周期内でＰＤＣＣＨ検出を行う必要がないと特定し、休止状態を継続する。又は、ｉｄｌｅ状態又はＲＲＣ  ｃｏｎｎｅｃｔｅｄ状態の各ＤＲＸ周期において、端末がＰａｇｉｎｇ信号又はＰＤＣＣＨに対しブラインド検出を行う前に、ネットワーク機器は、ＧＴＳを端末に送信してもよく、端末は、対応する時刻に醒めてこのＧＴＳに対し検出を行う。端末がこのＧＴＳを検出すると、端末は、Ｐａｇｉｎｇ信号又はＰＤＣＣＨに対しブラインド検出を行わず、休止を継続する。そうでない場合、端末は、Ｐａｇｉｎｇ信号又はＰＤＣＣＨに対しブラインド検出を行う。ここで、ＷＵＳ又はＧＴＳの検出は、Ｐａｇｉｎｇ信号又はＰＤＣＣＨのブラインド検出よりも複雑度が低く、且つ省電力である。
【００２４】
更に、早期指示信号は、非連続送信ｗｉｔｈ  ＤＴＸ（Ｄｉｓｃｏｎｔｉｎｕｏｕｓ  Ｔｒａｎｓｍｉｓｓｉｏｎ）又はｗｉｔｈｏｕｔ  ＤＴＸであってもよい。ｗｉｔｈ  ＤＴＸを例とすると、早期指示信号がＷＵＳシーケンスを搬送する場合、端末がこのＷＵＳシーケンスを検出すると、次のＤＲＸ周期内でＰＤＣＣＨ検出を行う必要があると特定し、このＷＵＳシーケンスを検出していない場合、次のＤＲＸ周期内でＰＤＣＣＨ検出を行う必要がないと特定する。同様に、早期指示信号がＧＴＳシーケンスを搬送する場合、このＧＴＳシーケンスが検出されていない場合、次のＤＲＸ周期内でＰＤＣＣＨ検出を行う必要があると特定し、このＧＴＳシーケンスが検出されると、次のＤＲＸ周期内でＰＤＣＣＨ検出を行う必要がないと特定する。ｗｉｔｈｏｕｔ  ＤＴＸを例とすると、早期指示信号がＷＵＳシーケンスを搬送する場合、ＷＵＳシーケンスが第１シーケンスフォーマットであることが検出されると、次のＤＲＸ周期内で対応するＰＤＣＣＨに対し検出を行う必要があると特定し、ＷＵＳが第２シーケンスフォーマットであることが検出されると、次のＤＲＸ周期内で対応するＰＤＣＣＨに対し検出を行う必要がないと特定し、端末は、スリープを継続する。同様に、早期指示信号がＧＴＳシーケンスを搬送する場合、ＧＴＳシーケンスが第３シーケンスフォーマットであることが検出されると、次のＤＲＸ周期内で対応するＰＤＣＣＨに対し検出を行う必要があると特定し、ＧＴＳが第４シーケンスフォーマットであることが検出されると、次のＤＲＸ周期内で対応するＰＤＣＣＨに対し検出を行う必要がないと特定し、端末は、スリープを継続する。
【００２５】
ここで、Ｉｄｌｅ状態において、第１時刻と第２時刻との間の時間ギャップは、ＷＵＳ存在する時刻と、そのＷＵＳに対応するＰａｇｉｎｇ信号が存在する時刻との間の時間間隔、即ちＷＵＳとページング機会ＰＯ（ｐａｇｉｎｇ  ｏｃｃａｓｉｏｎ）との間の時間ギャップである。ＲＲＣ＿ｃｏｎｎｅｃｔｅｄ状態において、第１時刻と第２時刻との間の時間ギャップは、ＷＵＳが存在する時刻（例えば、存在するスロット又は存在するサブフレーム）と、そのＷＵＳに対応するＰＤＣＣＨが存在する時刻との間の時間ギャップである。
【００２６】
ステップ２２において、時間ギャップに基づいて、早期指示信号の時刻又は早期指示信号に対応するＰＤＣＣＨの時刻を特定する。
【００２７】
ここで、ステップ２２は、以下の方式によって実現可能であるが、それに限られない。
方式１：第１時刻が特定された場合、第１時刻と時間ギャップとに基づいて、早期指示信号に対応するＰＤＣＣＨが存在する時刻を特定する。
ここで、第１時刻は、ネットワーク機器によって端末に設定される。又は、第１時刻は、端末の識別情報（ＵＥ  ＩＤ）に基づいて端末によって特定される。すなわち、端末は、時間ギャップ及び早期指示信号が存在する時刻に基づいて、早期指示信号に対応するＰＤＣＣＨが存在する時刻を特定する。ここで、早期指示信号が存在する時刻は、ネットワーク機器によって設定され、又は、ＵＥ  ＩＤに基づいて端末によって特定される。
方式２：第２時刻が特定された場合、第２時刻と時間ギャップとに基づいて、早期指示信号が存在する時刻を特定する。
ここで、第２時刻は、ネットワーク機器によって端末に設定される。又は、第２時刻は、端末の識別情報（ＵＥ  ＩＤ）に基づいて端末によって特定される。すなわち、端末は、時間ギャップ及び早期信号指示に対応するＰＤＣＣＨが存在する時刻に基づいて、早期指示信号の検出時刻を特定する。ここで、早期指示信号に対応するＰＤＣＣＨが存在する時刻は、ネットワーク機器によって設定され、又は、ＵＥ  ＩＤに基づいて端末によって特定される。
【００２８】
１つの実施例において、ステップ２２の後に、特定された早期指示信号が存在する時刻で早期指示信号に対し検出を行うこと、又は、特定された早期指示信号に対応するＰＤＣＣＨが存在する時刻でＰＤＣＣＨに対し検出を行うことを更に含む。
【００２９】
なお、ステップ２２では早期指示信号が存在する時刻のみを特定した場合、特定された早期指示信号が存在する時刻で早期指示信号に検出を行うステップを実行するが、ステップ２２では早期指示信号に対応するＰＤＣＣＨが存在する時刻のみを特定した場合、特定された早期指示信号に対応するＰＤＣＣＨが存在する時刻でＰＤＣＣＨに対し検出を行うステップを実行する。
【００３０】
選択可能に、早期指示信号の時刻を特定するステップは、早期指示信号の最大持続時間の開始時刻又は終了時刻を特定すること、又は、早期指示信号の実際持続時間の開始時刻又は終了時刻を特定することを含む。
【００３１】
ここで、ネットワーク機器は、端末の早期指示信号に対し１組の実際持続時間を設定する。ここで、１組の実際持続時間は、少なくとも１つの実際持続時間を含む。ここで、ネットワーク機器は、１つのセル内の全ての端末に対し、限られた数の持続時間（ＷＵＳ  ａｃｔｕａｌ  ｄｕｒａｔｉｏｎ）を設定し、例えば、繰り返し回数は、それぞれ、１回、１０回、又は１００回である。実際伝送時間は、最大持続時間内で１つの可能な位置（唯一の位置）しかなく、すなわち、早期指示信号の実際持続時間の開始時刻と、その最大持続時間の開始時刻との間に第１時間長のインターバルを有する。ここで、第１時間長は、０個の時間領域伝送単位以上である。第１時間長が０個の時間領域伝送単位である場合、早期指示信号の実際持続時間の開始時刻は最大持続時間の開始時刻とは同じである（すなわち、一致する）。又は、早期指示信号の実際持続時間の終了時刻とその最大持続時間の終了時刻との間に第２時間長のインターバルを有する。ここで、第２時間長は、０個の時間領域伝送単位以上である。第２時間長が０個の時間領域伝送単位である場合、早期指示信号の実際持続時間の終了時刻は最大持続時間の終了時刻とは同じである（すなわち、一致する）。前記実際持続時間は、少なくとも一つであり、且つ各実際持続時間の開始時刻が前記早期指示信号の最大持続時間の開始時刻とは同じであり、又は、前記実際持続時間は、少なくとも一つであり、且つ各実際持続時間の終了時刻が前記最大持続時間の終了時刻とは同じである。
【００３２】
実際持続時間が少なくとも２つである場合、早期指示信号の実際持続時間の開始時刻又は終了時刻を特定するステップの後に、少なくとも２つの実際持続時間に対しブラインド検出を行うことを更に含む。すなわち、ネットワーク機器が端末の早期指示信号に対し１組の実際持続時間を設定する場合、早期指示信号の開始時刻又は終了時刻を特定した後、端末は、早期指示信号の開始時刻又は終了時刻に基づいて、複数種類の可能な実際持続時間に対しブラインド検出を行う。
【００３３】
一部の選択可能な実施例において、第１時刻は、早期指示信号の最大持続時間の開始時刻又は終了時刻である。すなわち、早期指示信号が存在する時刻は、早期指示信号の最大持続時間の開始時刻又は終了時刻である。ここで、早期指示信号の最大持続時間の解釈として、早期指示信号の伝送信頼性を高めるために、異なる端末や異なるセルに異なる早期指示信号の繰り返し回数を設定する。異なる繰り返し回数は、１つの時間領域伝送単位に対し時間的に繰り返し送信を行うことに基づいて実現される。この時間領域伝送単位は、１つのフレーム、サブフレーム（ｓｕｂｆｒａｍｅ）、スロット（ｓｌｏｔ）、又は時間領域シンボル（ＯＦＤＭシンボル）である。セル中心の端末に対しては、早期指示信号の繰り返し回数は、１回であり、セル端に位置する端末に対しては、早期指示信号の繰り返し回数は、１００回である。ここで、繰り返し回数が高い信号ほどそのカバー性能が良好である。早期指示信号の最大繰り返し回数に対応する持続時間は、早期指示信号の最大持続時間（ｍａｘｉｍｕｍ  ｄｕｒａｔｉｏｎ）である。ここで、早期指示信号の最大持続時間は、セルのカバレッジを特定する。早期指示信号の最大持続時間は、システム情報ブロック（ＳＩＢ）メッセージによって端末に通知される。
【００３４】
又は、第１時刻は、早期指示信号の実際持続時間の開始時刻又は終了時刻である。すなわち、早期指示信号が存在する時刻は、早期指示信号の実際持続時間の開始時刻又は終了時刻である。ここで、早期指示信号の実際繰り返し回数に対応する持続時間は、早期指示信号の実際持続時間（ａｃｔｕａｌ  ｄｕｒａｔｉｏｎ）である。ここで、実際伝送時間は、最大持続時間内で１つの可能な位置（唯一の位置）しかなく、すなわち、早期指示信号の実際持続時間の開始時刻と、その最大持続時間の開始時刻との間に第１時間長のインターバルを有する。ここで、第１時間長は、０個の時間領域伝送単位以上である。第１時間長が０個の時間領域伝送単位である場合、早期指示信号の実際持続時間の開始時刻は最大持続時間の開始時刻とは同じである（すなわち、一致する）。又は、早期指示信号の実際持続時間の終了時刻とその最大持続時間の終了時刻との間に第２時間長のインターバルを有する。ここで、第２時間長は、０個の時間領域伝送単位以上である。第２時間長が０個の時間領域伝送単位である場合、早期指示信号の実際持続時間の終了時刻は最大持続時間の終了時刻とは同じである（すなわち、一致する）。
【００３５】
１つの選択可能な実施例において、ネットワーク機器は、端末の早期指示信号に対し１組の実際持続時間を設定してもよい。ここで、１組の実際持続時間は、少なくとも１つの実際持続時間を含む。ここで、ネットワーク機器は、１つのセル内の全ての端末に対し、限られた数の持続時間（ＷＵＳ  ａｃｔｕａｌ  ｄｕｒａｔｉｏｎ）を設定し、例えば、繰り返し回数は、それぞれ、１回、１０回、又は１００回である。上記数種類のＷＵＳ  ａｃｔｕａｌ  ｄｕｒａｔｉｏｎは、ネットワーク機器からＲＲＣ（Ｒａｄｉｏ  Ｒｅｓｏｕｒｃｅ  Ｃｏｎｔｒｏｌ）シグナリングなどのシグナリングを介して端末に送信される。ＷＵＳの１回の繰り返しは、時間的に１つのスロット又はサブフレームのすべてのＯＦＤＭシンボル又は一部のＯＦＤＭシンボルを占有し、例えば１つのサブフレームの後方１１個のＯＦＤＭシンボルを占有する。ここで、ＷＵＳの複数の繰り返しは、連続又は非連続のスロット又はサブフレームを占有する。更に、本実施例において、早期指示信号の実際持続時間の開始時刻が最大持続時間の開始時刻に一致するとは、複数種類の実際持続時間のうちの各実際伝送時間の開始時刻が早期指示信号の最大持続時間の開始時刻に一致することを意味する。同様に、早期指示信号の実際持続時間の終了時刻が最大持続時間の終了時刻に一致するとは、複数種類の実際持続時間の各実際伝送時間の終了時刻が早期指示信号の最大持続時間の終了時刻に一致することを意味する。
【００３６】
一部の選択可能な実施例において、第２時刻は、ＰＤＣＣＨが存在する時間領域伝送単位の開始時刻又は終了時刻であり、ここで、時間領域伝送単位は、フレーム、サブフレーム、スロット及び時間領域シンボル（ＯＦＤＭシンボル）のいずれか１つを含む。すなわち、ＰＤＣＣＨが存在する時刻は、ＰＤＣＣＨが存在するＯＦＤＭシンボル、スロット、サブフレーム又はフレームの開始時刻又は終了時刻である。
【００３７】
選択可能に、時間ギャップの時間長は、早期指示信号を受信する受信機のタイプと、端末の所定挙動と、早期指示信号の周波数領域伝送リソース及び早期指示信号に対応するＰＤＣＣＨの周波数領域伝送リソースとの少なくとも１つに関連する。
【００３８】
時間ギャップの時間長は、早期指示信号を受信する受信機のタイプに関連する。ここで、受信機のタイプは、マスタ受信機及び非マスタ受信機（又は、他の受信機、専用受信機と呼ばれる）を含む。すなわち、端末が独立した非マスタ受信機を用いて早期指示信号を受信した場合に、対応する時間ギャップの時間長は、マスタ受信機を用いて早期指示信号を受信した場合に、対応する時間ギャップの時間長とは異なる。ここで、端末が独立した非マスタ受信機を用いて早期指示信号を受信する場合、マスタ受信機は、早期指示信号以外の信号を受信することに用いられる。選択可能に、早期指示信号が独立した受信機（非マスタ受信機）を用いて受信される場合、端末は、この独立した受信機が非常に小さい帯域幅しかサポートしなかったり、一部のモジュールを削除したりして、省エネのためにいくつかの最適化を行う。マスタ受信機は、早期指示信号以外の信号を受信することに用いられる。端末がマスタ受信機を介して早期指示信号及び早期指示信号に対応するＰＤＣＣＨを受信する場合、端末がＲＦ  ｒｅｔｕｎｉｎｇを行う必要がなく、それにより、時間ギャップをより短くすることができる。ここで用いられる受信機は、異なり、特定される時間ギャップの値も異なる。選択可能に、端末は、時間ギャップの値及びＷＵＳをサポートするか否かを同時に報告してもよい。
【００３９】
時間ギャップの時間長は、端末の所定挙動に関連する。ここで、所定挙動は、端末が早期指示信号のみに基づいて下り同期を行うこと、又は、端末が早期指示信号とＳＳＢ（Ｓｙｎｃｈｒｏｎｏｕｓ  Ｓｉｇｎａｌ  Ｂｌｏｃｋ）とに基づいて下り同期を行うこと、又は、端末が同期信号ブロックのみに基づいて下り同期を行うことを含む。すなわち、時間ギャップは、端末の所定挙動に関連し、この所定挙動は、端末がＷＵＳ又はＧＴＳのみで下り同期を行うこと、又は、端末がＷＵＳ、ＧＴＳ及びＳＳＢで下り同期を行うこと、又は、端末がＳＳＢのみで下り同期を行うことを含む。ここで、端末がＳＳＢのみで下り同期を行うとは、端末がＷＵＳを受信する前にＳＳＢで下り同期を行う場合と、端末がＷＵＳを受信した後であってＰＤＣＣＨを受信する前にＳＳＢで下り同期を行う場合とがある。上記ＳＳＢは、ＮＲシステムのみを対象としているが、本実施例は、他のシステムの場合を排除するものではない。具体的には、本実施例は、ＮＢ−ＩｏＴシステムにおいて、端末がＮＰＳＳ／ＮＳＳＳ（Ｎａｒｒｏｗｂａｎｄ  Ｐｒｉｍａｒｙ  Ｓｙｎｃｈｒｏｎｉｚａｔｉｏｎ  Ｓｉｇｎａｌ／Ｎａｒｒｏｗｂａｎｄ  Ｓｅｃｏｎｄａｒｙ  Ｓｙｎｃｈｒｏｎｉｚａｔｉｏｎ  Ｓｉｇｎａｌ）に基づいて下り同期を行うこと、ＬＴＥシステムやＭＴＣシステムにおいて、端末がＰＳＳ／ＳＳＳ（Ｐｒｉｍａｒｙ  Ｓｙｎｃｈｒｏｎｉｚａｔｉｏｎ  Ｓｉｇｎａｌ／Ｓｅｃｏｎｄａｒｙ  Ｓｙｎｃｈｒｏｎｉｚａｔｉｏｎ  Ｓｉｇｎａｌ）に基づいて下り同期を行うこと、５Ｇ  ＮＲ（Ｎｅｗ  Ｒａｄｉｏ）システムにおいて、端末がＳＳＢに基づいて下り同期を行うことを更に含む。１つの実施例において、時間ギャップは、ＵＥの挙動に関連し、挙動は、端末がＷＵＳで下り同期を行うこと、又は、端末がＳＳＢで周期的に下り同期を行うことを含む。端末がＷＵＳのみで下り同期を行う場合、ネットワーク機器が連続した複数のページング周期（ｐａｇｉｎｇ  ｃｙｃｌｅ）にわたってＤＴＸを送信すると、後続の端末が非ＤＴＸのＷＵＳを受信する際に下り同期のための時間が比較的長くなる可能性があり、ＷＵＳからＷＵＳに対応するＰＤＣＣＨ間の時間ギャップが長くなる。端末が周期的にＳＳＢで下り同期を行うと、端末は、良好な下り同期を維持するように、その周期の大きさを柔軟に設定でき、後続の端末が非ＤＴＸのＷＵＳを受信する際に下り同期のための時間が比較的短くなり、ＷＵＳからＷＵＳに対応するＰＤＣＣＨ間の時間ギャップが長くなる。そのため、端末の挙動が異なり、端末が報告する第１時間ギャップの値も異なる。ここで、端末がＳＳＢのみで下り同期を行うとは、端末がＷＵＳを受信する前にＳＳＢで下り同期を行う場合と、端末がＷＵＳを受信した後であってＰＤＣＣＨを受信する前にＳＳＢで下り同期を行う場合とがある。
【００４０】
時間ギャップの時間長は、早期指示信号の周波数領域伝送リソース及び早期指示信号に対応するＰＤＣＣＨの周波数領域伝送リソースに関連する。すなわち、時間ギャップは、端末がＷＵＳ又はＧＴＳを受信する周波数領域リソース、及び端末がＰＤＣＣＨを受信する周波数領域リソースに関連する。１つの実施例では、端末がＷＵＳ又はＧＴＳを受信する周波数領域リソースの中心周波数は、ＰＤＣＣＨを受信する周波数領域リソースの中心周波数とが異なることに対応する時間ギャップは、端末がＷＵＳ又はＧＴＳを受信する周波数領域リソースの中心周波数は、ＰＤＣＣＨを受信する周波数領域リソースの中心周波数とが同じであることに対応する時間ギャップよりも長い。ここで、周波数領域リソースは、帯域幅部分ＢＷＰ（Ｂａｎｄｗｉｄｔｈ  Ｐａｒｔ）、帯域幅（ｂａｎｄｗｉｄｔｈ）、又はチャネル（ｃｈａｎｎｅｌ）である。ここで、端末がＷＵＳ又はＧＴＳを受信する周波数領域リソースの中心周波数は、端末がＰＤＣＣＨを受信する周波数領域リソースの中心周波数が異なる場合に対応するＲＦ  ｒｅｔｕｎｉｎｇ（Ｒａｄｉｏ  Ｆｒｅｑｕｅｎｃｙ  ｒｅｔｕｎｉｎｇ）の時間は、端末がＷＵＳ又はＧＴＳを受信する周波数領域リソースの中心周波数は、端末がＰＤＣＣＨを受信する周波数領域リソースの中心周波数が同じである場合に対応するＲＦ  ｒｅｔｕｎｉｎｇの時間よりも長い。従って、中心周波数が異なる場合に対応する時間ギャップは、中心周波数が同じである場合に対応する時間ギャップよりも長い。
【００４１】
ここで、時間ギャップは、端末によって特定される。又は、時間ギャップは、ネットワーク機器によって端末に設定される。又は、時間ギャップは、プロトコルによって予め定義される。具体的には、前記時間ギャップは、端末によって特定される第１時間ギャップ、ネットワーク機器によって端末に設定される第２時間ギャップ、プロトコルによって予め定義される第３時間ギャップのうちの少なくとも１つを含む。
【００４２】
ここで、時間ギャップの異なる特定方式に基づいて、本開示の一部実施例において、以下のシーンについて更に説明する。
【００４３】
シーン１：時間ギャップは、第１時間ギャップのみを含み、すなわち時間ギャップは、端末によって自ら特定される。
【００４４】
このシーンでは、端末は、早期指示信号を受信する受信機のタイプと、端末の所定挙動と、早期指示信号の周波数領域伝送リソース及び早期指示信号に対応するＰＤＣＣＨの周波数領域伝送リソースとの少なくとも１つに基づいて、時間ギャップの長さを特定する。
【００４５】
ここで、端末は、第１時間ギャップを特定した後、第１時間ギャップをネットワーク機器に報告する。ここで、端末が報告する第１時間ギャップは、１ビットで報告されてもよく、例えば、０は、第１時間ギャップが１０ｍｓであることを示し（ＷＵＳを受信するのはマスタ受信機である）、１は、第１時間ギャップが３０ｍｓであることを示す（ＷＵＳを受信するのは個別の非マスタ受信機である）。又は、端末が報告する第１時間ギャップは、２ビットで報告されてもよく、例えば、００は、第１時間ギャップが１０ｍｓであることを示し（ＷＵＳを受信するのはマスタ受信機であり、且つＵＥが周期的なＳＳＢによる下り同期をサポートする）、０１は、第１時間ギャップが２０ｍｓであることを示し（ＷＵＳを受信するのはマスタ受信機であり、且つ端末が周期的なＳＳＢによる下り同期をサポートしない。又はＷＵＳを受信するのはマスタ受信機であり、且つ端末が周期的なＳＳＢによる下り同期をサポートするが、周期が長い。又はＷＵＳを受信するのはマスタ受信機であり、且つ端末がＷＵＳによる下り同期のみをサポートする）、１０は、第１時間ギャップが４０ｍｓであることを示し（ＷＵＳを受信するのは個別の受信機であり、且つＵＥが周期的なＳＳＢによる下り同期をサポートする）、１１は、第１時間ギャップが８０ｍｓであることを示す（ＷＵＳを受信するのは、個別の受信機であり、且つ端末が周期的なＳＳＢによる下り同期をサポートしない。又はＷＵＳを受信するのは、個別の受信機であり、且つＵＥが周期的なＳＳＢによる下り同期をサポートするが、期間が長い。又は、ＷＵＳを受信するのは、個別の受信機であり、且つＷＵＳによる下り同期のみをサポートする）。
【００４６】
シーン２：時間ギャップは、第２時間ギャップのみを含み、すなわち、時間ギャップは、ネットワーク機器によって端末に設定される。
【００４７】
このシーンでは、ネットワーク機器は、早期指示信号を受信する受信機のタイプと、端末の所定挙動と、早期指示信号の周波数領域伝送リソース及び早期指示信号に対応するＰＤＣＣＨの周波数領域伝送リソースとの少なくとも１つに基づいて、時間ギャップの長さを特定して端末に設定する。
【００４８】
このシーンでは、ネットワーク機器が時間ギャップを特定する前に、ネットワーク機器によって時間ギャップの時間長を特定するために、端末は、早期指示信号を受信する受信機のタイプ及び端末の所定挙動（又は端末の挙動能力）とをネットワーク機器に報告する。
【００４９】
選択可能に、ネットワーク機器は、異なる能力の端末に関する異なる第１時間ギャップのうちの最大値を第２時間ギャップに特定し、前記第２時間ギャップを端末に通知する。
【００５０】
選択可能に、時間ギャップは、１つの端末又は端末群に対し、所定シグナリングを介してネットワーク機器によって設定される。ここで、所定シグナリングは、ブロードキャストシグナリング、ＲＲＣシグナリング、ＭＡＣ（Ｍｅｄｉａ  Ａｃｃｅｓｓ  Ｃｏｎｔｒｏｌ）ＣＥ（Ｃｏｎｔｒｏｌ  Ｅｌｅｍｅｎｔ）及びＰＤＣＣＨのうちの少なくとも１つを含む。ここで、ブロードキャストシグナリングは、ＭＩＢ（Ｍａｓｔｅｒ  Ｉｎｆｏｒｍａｔｉｏｎ  Ｂｌｏｃｋ）とＳＩＢ（Ｓｙｓｔｅｍ  Ｉｎｆｏｒｍａｔｉｏｎ  Ｂｌｏｃｋ）などを含む。
【００５１】
別の選択可能な実施例において、ステップ２１の後に、時間ギャップに基づいて下り同期の目標同期方式を特定することを更に含む。ここで、目標同期方式は、早期指示信号に基づいて下り同期を行うこと、又は、早期指示信号と同期信号ブロックとに基づいて下り同期を行うこと、又は、同期信号ブロックに基づいて下り同期を行うことを含む。すなわち、時間ギャップがネットワーク機器によって設定された第２時間ギャップである場合、端末は、第２時間ギャップに基づいて、関連する挙動を特定する。例えば、端末は、ＷＵＳ又はＧＴＳで下り同期を行い、又は、周期的にＳＳＢで下り同期を行い、又は、ＷＵＳ又はＧＴＳとＳＳＢとの連携で下り同期を行う。
【００５２】
具体的には、ネットワーク機器によって端末に設定される第２時間ギャップの値が異なると、端末の挙動にも影響を与える。ネットワーク機器によって端末に設定されるＷＵＳからＷＵＳに対応するＰＤＣＣＨ間の時間ギャップが長い場合、端末がＷＵＳによる下り同期しかできない可能性があり、ネットワーク機器が複数のｐａｇｉｎｇ  ｃｙｃｌｅにわたって連続してＤＴＸを送信しても、後続の端末が非ＤＴＸのＷＵＳを受信する際に、下り同期のための時間に余裕がある。ネットワーク機器によって端末に設定されるＷＵＳと、ＷＵＳに対応するＰＤＣＣＨとの間の時間ギャップが短い場合、端末が周期的にＳＳＢ（ＳＳ  ｂｌｏｃｋ）で下り同期を行うことになる。端末は、良好な下り同期を維持するために、その周期の大きさを柔軟に設定する。それにより、後続の端末が非ＤＴＸのＷＵＳを受信する際に下り同期のための時間は、基地局によって端末に設定される第２時間ギャップを超えない。
【００５３】
シーン３：時間ギャップは、第１時間ギャップと第２時間ギャップとを含み、すなわち、時間ギャップは、第１時間ギャップに基づいて、ネットワーク機器によって端末に設定される第２時間ギャップである。
【００５４】
このシーンでは、端末は、早期指示信号を受信する受信機のタイプと、端末の所定挙動と、早期指示信号の周波数領域伝送リソース及び早期指示信号に対応するＰＤＣＣＨの周波数領域伝送リソースとの少なくとも１つに基づいて、第１時間ギャップの長さを特定する。
【００５５】
ここで、端末は、第１時間ギャップを特定した後、第１時間ギャップをネットワーク機器に報告する。その報告方式は、シーン１における方式で行われてもよいので、ここでは繰り返して記載しない。ネットワーク機器は、第１時間ギャップを取得した後、第１時間ギャップを参照して、第２時間ギャップを端末に設定する。ここでネットワーク機器が第２時間ギャップを端末に送信する方式は、シーン２における指示方法を参照してもよいので、ここでは繰り返して記載しない。
【００５６】
選択可能に、ネットワーク機器は、異なる端末から報告される異なる第１時間ギャップのうちの最大値を第２時間ギャップに特定し、前記第２時間ギャップを端末に通知する。例えば、一部の端末から１０ｍｓの時間ギャップを報告し、ほかの端末から３０ｍｓの時間ギャップを報告する場合、ネットワーク機器は、すべての端末のニーズを満たすことができるよう、第２時間ギャップを３０ｍｓに設定する。
【００５７】
シーン４：時間ギャップは、第３時間ギャップを含み、すなわち、時間ギャップは、プロトコルによって予め定義される。
【００５８】
このシーンでは、時間ギャップは、プロトコルによって予め定義された一定の時間長である。例えば、プロトコルによって予め定義された時間ギャップは、Ｍ個の時間領域伝送単位（サブフレーム、スロット又はＯＦＤＭシンボルなど）である場合、早期指示信号が存在する時刻が特定されると、早期指示信号が存在する時刻及びＭ個の時間領域伝送単位に基づいて、早期指示信号に対応するＰＤＣＣＨが存在する時刻が特定される。同様に、早期指示信号に対応するＰＤＣＣＨが存在する時刻が特定されると、早期指示信号に対応するＰＤＣＣＨが存在する時刻及びＭ個の時間領域伝送単位に基づいて、早期指示信号が存在する時刻が特定される。
【００５９】
選択可能に、プロトコルによって予め定義される第２時間ギャップは、異なる能力の端末に関する異なる第１時間ギャップのうちの最大値である。例えば、一部の端末では１０ｍｓの時間ギャップをサポートし、ほかの端末では３０ｍｓの時間ギャップをサポートする場合、プロトコルによって予め定義される第２時間ギャップは、３０ｍｓであり、すべての端末のニーズを満たすことができる。
【００６０】
別の選択可能な実施例において、ステップ２１の後に、時間ギャップに基づいて下り同期の目標同期方式を特定することを更に含む。ここで、目標同期方式は、早期指示信号に基づいて下り同期を行うこと、又は、早期指示信号と同期信号ブロックとに基づいて下り同期を行うこと、又は、同期信号ブロックに基づいて下り同期を行うことを含む。すなわち、時間ギャップがプロトコルによって予め定義される第３時間ギャップである場合、端末は、第３時間ギャップに基づいて、関連する挙動を特定する。例えば、端末は、ＷＵＳ又はＧＴＳで下り同期を行い、又は、周期的にＳＳＢで下り同期を行い、又は、ＷＵＳ又はＧＴＳとＳＳＢとの連携で下り同期を行う。
【００６１】
以上、本開示の一部実施例の情報検出方法の一部の実施例を紹介したが、以下、それについて、図面及び具体的な実現方式を通じて更に説明する。
実施例１
【００６２】
実施例１は、上記方式１に対応し、すなわち、早期指示信号の存在する時刻が既知のシーンである。
【００６３】
端末は、時間ギャップ及び早期指示信号が存在する時刻（すなわち第１時刻）に基づいて、早期指示信号に対応するＰＤＣＣＨが存在する時刻を特定する。ここで、早期指示信号が存在する時刻は、ネットワーク機器によって設定され、又は、ＵＥ  ＩＤに基づいて特定される。ここで、早期指示信号に対応するＰＤＣＣＨは、早期指示信号の指示で、端末によって検出を行うＰＤＣＣＨである。
【００６４】
ここで、端末は、ＵＥ  ＩＤに基づいて、早期指示信号が存在する時刻を算出する。具体的には、Ｎ（Ｎ＞０）個の下りスロット、サブフレーム又はフレームに端末の識別情報（ＵＥ  ＩＤ）をハッシュ関数などの関数でマッピングする。ここで、ＵＥ  ＩＤは、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、Ｐ−ＴＭＳＩ（Ｐａｃｋｅｔ−Ｔｅｍｐｏｒａｒｙ  ｍｏｂｉｌｅ  ｓｕｂｓｃｒｉｂｅｒ  ｉｄｅｎｔｉｆｉｃａｔｉｏｎ）、ＴＭＳＩ（Ｔｅｍｐｏｒａｒｙ  ｍｏｂｉｌｅ  ｓｕｂｓｃｒｉｂｅｒ  ｉｄｅｎｔｉｆｉｃａｔｉｏｎ）、又はショートフォーマットを含む。
【００６５】
ここで、第１時刻は、早期指示信号の最大持続時間の開始時刻又は終了時刻であり、早期指示信号の最大繰り返し回数に対応する持続時間は、早期指示信号の最大持続時間（ｍａｘｉｍｕｍ  ｄｕｒａｔｉｏｎ）である。ここで、早期指示信号の最大持続時間は、セルのカバレッジを特定する。早期指示信号の最大持続時間は、システム情報ブロック（ＳＩＢ）メッセージによって端末に通知される。
【００６６】
又は、第１時刻は、早期指示信号の実際持続時間の開始時刻又は終了時刻であり、ネットワーク機器は、１つのセル内の全ての端末に対し、限られた数の持続時間（ＷＵＳ  ａｃｔｕａｌ  ｄｕｒａｔｉｏｎ）を設定し、ＲＲＣシグナリングなどのシグナリングを介して端末に送信する。
【００６７】
１つの選択可能な実施例において、ネットワーク機器は、ＵＥに対し、ＷＵＳ  ａｃｔｕａｌ  ｄｕｒａｔｉｏｎのような早期指示信号のａｃｔｕａｌ  ｄｕｒａｔｉｏｎを通知しない可能性がある。端末によるＷＵＳ検出の複雑度を低減するために、端末は、ＷＵＳの各ａｃｔｕａｌ  ｄｕｒａｔｉｏｎに対し１回だけブラインド検出を行い、各ＷＵＳ  ａｃｔｕａｌ  ｄｕｒａｔｉｏｎは、ＷＵＳの最初のサブフレームから検出を開始する。例えば、ネットワーク機器は、本セルには計３つのＷＵＳ  ａｃｔｕａｌ  ｄｕｒａｔｉｏｎがあり、ＷＵＳの繰り返し回数がそれぞれ１回、１０回、１００回であることをＵＥに通知する。ＷＵＳ  ａｃｔｕａｌ  ｄｕｒａｔｉｏｎの開始サブフレームは、無線フレーム０番のサブフレーム０番であり、ＷＵＳ  ｍａｘｉｍｕｍ  ｄｕｒａｔｉｏｎの開始サブフレームに一致する。端末は、無線フレーム０番のサブフレーム０番に対し順にＷＵＳ検出を行い、無線フレーム０番のサブフレーム０番からサブフレーム９番までの合計１０サブフレームに対しＷＵＳ検出を行い（この１０サブフレームに対し検出を行う際、端末は、そのうちＮ（Ｎ＞１、Ｎ＜１０、Ｎは整数）のサブフレームでウェイクアップ信号を検出できたら検出を停止する）、無線フレーム０番のサブフレーム０番から無線フレーム９番のサブフレーム９９番までの計１００サブフレームに対しＷＵＳ検出を行う（この１００サブフレームに検出を行う際、ＵＥは、そのうちＮ（Ｎ＞１、Ｎ＜１００、Ｎは整数）のサブフレームでウェイクアップ信号を検出できたら検出を停止する）。上記検出の順序は、調整可能である。そのうちのある検出でＷＵＳの検出に成功すると、端末は、ブラインド検出を停止する。ここで、サブフレーム番号０〜９９は、ＷＵＳを伝送できる連続するサブフレームの番号である。もちろん、ＷＵＳを伝送するサブフレームは、非連続であってもよい。上記のサブフレームは、スロットｓｌｏｔ又は時間領域ＯＦＤＭシンボルであってもよい。
【００６８】
又は、ＷＵＳ  ａｃｔｕａｌ  ｄｕｒａｔｉｏｎは、ＷＵＳシーケンスによって指示される。具体的には、異なるＷＵＳシーケンス（例えば、異なる複数のルートシーケンス、異なるスクランブリングコードシーケンスを有する複数のシーケンス、又は異なるサイクリックシフトにより生成された複数のシーケンス）は、それぞれ異なるＷＵＳ  ａｃｔｕａｌ  ｄｕｒａｔｉｏｎに対応する。
【００６９】
図４に示すように、Ｔ１は、早期指示信号の実際持続時間の開始時刻であり、Ｔ１は、早期指示信号の最大持続時間の開始時刻でもあり、すなわち早期指示信号の最大実際持続時間の開始時刻と早期指示信号の最大持続時間の開始時刻とは一致する。Ｔ２は、早期指示信号の実際持続時間の終了時刻である。Ｔ３は、早期指示信号の最大持続時間の終了時刻である。Ｔ４は、早期指示信号に対応するＰＤＣＣＨの開始時刻である。Ｔ５は、早期指示信号に対応するＰＤＣＣＨの終了時刻である。よって、時間ギャップは、図４の３つの場合、すなわち、時間ギャップＧ１＝Ｔ４−Ｔ３、又は時間ギャップＧ２＝Ｔ４−Ｔ２、又は時間ギャップＧ３＝Ｔ４−Ｔ１のいずれか１つである。
【００７０】
これに対応して、端末は、時間ギャップＧ（Ｇ１、Ｇ２又はＧ３）及びＴ１、Ｔ２、Ｔ３のいずれかに基づいてＴ４を特定する。すなわち、Ｔ４＝Ｔ３＋Ｇ１、又はＴ４＝Ｔ２＋Ｇ２、又はＴ４＝Ｔ１＋Ｇ３。上記実施例１におけるＴ４は、Ｔ５に置き換えてもよい。
【００７１】
又は、図５に示すように、Ｔ１は、早期指示信号の最大持続時間の開始時刻であり、Ｔ２は、早期指示信号の実際持続時間の開始時刻であり、Ｔ３は、早期指示信号の最大持続時間の終了時刻であり、Ｔ３は、早期指示信号の実際持続時間の終了時刻でもあり、すなわち、早期指示信号の最大持続時間の終了時刻と早期指示信号の実際持続時間の終了時刻とは一致し、Ｔ４は、早期指示信号に対応するＰＤＣＣＨの開始時刻であり、Ｔ５は、早期指示信号に対応するＰＤＣＣＨの終了時刻である。そして、時間ギャップは、図５の３つの場合、すなわち、時間ギャップＧ１＝Ｔ４−Ｔ３、又は時間ギャップＧ２＝Ｔ４−Ｔ２、又は時間ギャップＧ３＝Ｔ４−Ｔ１のいずれか１つである。これに対応して、端末は、時間ギャップＧ（Ｇ１、Ｇ２又はＧ３）及びＴ１、Ｔ２、Ｔ３のいずれか１つに基づいてＴ４を特定する。すなわち、Ｔ４＝Ｔ３＋Ｇ１、又はＴ４＝Ｔ２＋Ｇ２、又はＴ４＝Ｔ１＋Ｇ３。ここで、Ｔ４は、Ｔ５に置き換えてもよい。
実施例２
【００７２】
実施例２は、方式２に対応し、すなわち、早期指示信号に対応するＰＤＣＣＨの存在する時刻が既知のシーンである。
【００７３】
端末は、時間ギャップ及び早期指示信号に対応するＰＤＣＣＨが存在する時刻（すなわち第２時刻）に基づいて、早期指示信号が存在する時刻を特定する。ここで、早期指示信号に対応するＰＤＣＣＨが存在する時刻は、ネットワーク機器によって設定され、又は、ＵＥ  ＩＤに基づいて特定される。ここで、早期指示信号に対応するＰＤＣＣＨは、早期指示信号の指示で、端末によって検出を行うＰＤＣＣＨである。
【００７４】
ここで、端末は、ＵＥ  ＩＤに基づいて、早期指示信号に対応するＰＤＣＣＨが存在する時刻を算出する。具体的には、Ｎ（Ｎ＞０）個の下りスロット又はサブフレームに端末の識別（ＵＥ  ＩＤ）をハッシュ関数などの関数でマッピングする。ＵＥ  ＩＤは、ＩＭＳＩ、Ｐ−ＴＭＳＩ、ＴＭＳＩ又はショートフォーマットを含む。
【００７５】
図４に示すように、Ｔ１は、早期指示信号の実際持続時間の開始時刻であり、Ｔ１は、早期指示信号の最大持続時間の開始時刻でもあり、すなわち早期指示信号の最大実際持続時間の開始時刻と早期指示信号の最大持続時間の開始時刻とは一致する。Ｔ２は、早期指示信号の実際持続時間の終了時刻である。Ｔ３は、早期指示信号の最大持続時間の終了時刻である。Ｔ４は、早期指示信号に対応するＰＤＣＣＨの開始時刻である。Ｔ５は、早期指示信号に対応するＰＤＣＣＨの終了時刻である。よって、時間ギャップは、図４の３つの場合、すなわち、時間ギャップＧ１＝Ｔ４−Ｔ３、又は時間ギャップＧ２＝Ｔ４−Ｔ２、又は時間ギャップＧ３＝Ｔ４−Ｔ１のいずれか１つである。
【００７６】
これに対応して、端末は、時間ギャップＧ（Ｇ１、Ｇ２又はＧ３）及びＴ４、Ｔ５のいずれかに基づいてＴ１又はＴ２又はＴ３特定する。すなわち、Ｔ１＝Ｔ４−Ｇ３又はＴ２＝Ｔ４−Ｇ２又はＴ３＝Ｔ４−Ｇ１。上記実施例におけるＴ４は、Ｔ５に置き換えてもよい。
【００７７】
又は、図５に示すように、Ｔ１は、早期指示信号の最大持続時間の開始時刻であり、Ｔ２は、早期指示信号の実際持続時間の開始時刻であり、Ｔ３は、早期指示信号の最大持続時間の終了時刻であり、Ｔ３は、早期指示信号の実際持続時間の終了時刻でもあり、すなわち、早期指示信号の最大持続時間の終了時刻と早期指示信号の実際持続時間の終了時刻とは揃い、Ｔ４は、早期指示信号に対応するＰＤＣＣＨの開始時刻であり、Ｔ５は、早期指示信号に対応するＰＤＣＣＨの終了時刻である。
【００７８】
よって、時間ギャップは、図５の３つの場合、すなわち、時間ギャップＧ１＝Ｔ４−Ｔ３、又は時間ギャップＧ２＝Ｔ４−Ｔ２、又は時間ギャップＧ３＝Ｔ４−Ｔ１のいずれか１つであり得る。
【００７９】
これに対応して、端末は、時間ギャップＧ（Ｇ１、Ｇ２又はＧ３）及びＴ４に基づいてＴ１又はＴ２又はＴ３を特定する。すなわち、Ｔ１＝Ｔ４−Ｇ３又はＴ２＝Ｔ４−Ｇ２又はＴ３＝Ｔ４−Ｇ１。上記実施例におけるＴ４は、Ｔ５に置き換えてもよい。
【００８０】
１つの選択可能な実施例において、ネットワーク機器は、端末に対しその早期指示信号のａｃｔｕａｌ  ｄｕｒａｔｉｏｎを通知しない可能性がある。端末による早期指示信号検出の複雑度を低減するために、端末は、早期指示信号の各ａｃｔｕａｌ  ｄｕｒａｔｉｏｎに対し１回だけブラインド検出を行い、各早期指示信号のａｃｔｕａｌ  ｄｕｒａｔｉｏｎは、早期指示信号の最初のサブフレームから検出を開始する。例えば、ネットワーク機器は、本セルには計３つの早期指示信号のａｃｔｕａｌ  ｄｕｒａｔｉｏｎがあり、早期指示信号の繰り返し回数がそれぞれ１回、１０回、１００回であることを端末に通知する。早期指示信号のａｃｔｕａｌ  ｄｕｒａｔｉｏｎの終了サブフレームは、無線フレーム９番のサブフレーム９番であり、早期指示信号のｍａｘｉｍｕｍ  ｄｕｒａｔｉｏｎの終了サブフレームに一致する。端末は、無線フレーム９番のサブフレーム９番に対し順に早期指示信号検出を行い、無線フレーム９番のサブフレーム０番から無線フレーム９番のサブフレーム９番までの合計１０サブフレームに対し早期指示信号検出を行い（この１０サブフレームに対し検出を行う際、端末は、そのうちＮ（Ｎ＞１、Ｎ＜１０、Ｎは整数）のサブフレームでウェイクアップ信号を検出できたら検出を停止する）、無線フレーム０番のサブフレーム０番から無線フレーム９番のサブフレーム９番までの計１００サブフレームに対し早期指示信号検出を行う（この１００サブフレームに対し検出を行う際、端末は、そのうちＮ（Ｎ＞１、Ｎ＜１００、Ｎは整数）のサブフレームでウェイクアップ信号を検出できたら検出を停止する）。上記検出の順序は、調整可能である。そのうちのある検出で早期指示信号の検出に成功すると、端末は、ブラインド検出を停止する。ここで、サブフレーム番号０〜９９は、早期指示信号を伝送できる連続するサブフレーム又は非連続のサブフレームの番号である。もちろん、早期指示信号を伝送するサブフレームは、非連続であってもよい。上記のサブフレームは、スロットｓｌｏｔ又は時間領域ＯＦＤＭシンボルであってもよい。
【００８１】
又は、早期指示信号ａｃｔｕａｌ  ｄｕｒａｔｉｏｎは、早期指示信号のシーケンスによって指示される。具体的には、異なる早期指示信号のシーケンス（例えば、異なる複数のルートシーケンス、異なるスクランブリングコードシーケンスを有する複数のシーケンス、又は異なるサイクリックシフトにより生成された複数のシーケンス）は、それぞれ異なる早期指示信号ａｃｔｕａｌ  ｄｕｒａｔｉｏｎに対応する。
【００８２】
本開示の一部実施例の情報検出方法において、端末は、第１時刻と第２時刻との間の時間ギャップを特定し、この時間ギャップに基づいて、早期指示信号の時刻又は早期指示信号に対応するＰＤＣＣＨの時刻を特定することによって、対応する時刻になると検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【００８３】
上記実施例は、異なるシーンにおける情報検出方法をそれぞれ詳細に紹介したが、以下、本実施例は、それに対応する端末について、図面を通じて更に紹介する。
【００８４】
本開示の一部実施例の情報検出方法において、第１時刻と第２時刻との間の時間ギャップを特定し、この時間ギャップに基づいて、早期指示信号の時刻又は早期指示信号に対応するＰＤＣＣＨの時刻を特定することによって、端末が対応する時刻になると検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【００８５】
以上の実施例は、異なるシーンにおける情報検出方法をそれぞれ詳細に紹介したが、以下、本実施例は、それに対応する端末について、図面を参照して更に紹介する。
【００８６】
図６に示すように、本開示の一部実施例における端末６００は、上記の実施例における第１時刻と第２時刻との間の時間ギャップを取得し、時間ギャップに基づいて、早期指示信号が存在する時刻又は早期指示信号に対応するＰＤＣＣＨが存在する時刻を特定する方法の細部を実現し、同じ効果を奏することもできる。ここで、第１時刻は、早期指示信号が存在する時刻であり、第２時刻は、早期指示信号に対応するＰＤＣＣＨが存在する時刻である。この端末６００は、具体的には、早期指示信号が存在する時刻である第１時刻と、早期指示信号に対応するＰＤＣＣＨが存在する時刻である第２時刻との間の時間ギャップを取得するための第１取得モジュール６１０と、時間ギャップに基づいて、早期指示信号が存在する時刻又は早期指示信号に対応するＰＤＣＣＨが存在する時刻を特定するための第１特定モジュール６２０とを含む。
【００８７】
ここで、端末６００は、特定された早期指示信号が存在する時刻で早期指示信号に対し検出を行い、又は、特定された早期指示信号に対応するＰＤＣＣＨが存在する時刻でＰＤＣＣＨに対し検出を行うための第１検出モジュールを更に含んでもよい。
【００８８】
ここで、第１特定モジュール６２０は、第１時刻が特定された場合、第１時刻と時間ギャップとに基づいて、早期指示信号に対応するＰＤＣＣＨが存在する時刻を特定するための第１特定サブモジュールを含む。
【００８９】
ここで、第１特定モジュール６２０は、第２時刻が特定された場合、第２時刻と時間ギャップとに基づいて、早期指示信号が存在する時刻を特定するための第２特定サブモジュールを更に含む。
【００９０】
ここで、前記第２特定サブモジュールは、前記早期指示信号の最大持続時間の開始時刻又は終了時刻を特定するための第１特定ユニット、又は、前記早期指示信号の実際持続時間の開始時刻又は終了時刻を特定するための第２特定ユニットを含む。
【００９１】
ここで、前記実際持続時間は、少なくとも一つであり、且つ各実際持続時間の開始時刻が前記早期指示信号の最大持続時間の開始時刻とは同じである。又は、前記実際持続時間は、少なくとも一つであり、且つ各実際持続時間の終了時刻が前記最大持続時間の終了時刻とは同じである。
【００９２】
ここで、前記端末は、前記実際持続時間が少なくとも２つである場合、前記少なくとも２つの実際持続時間に対しブラインド検出を行うためのブラインド検出モジュールを更に含む。
【００９３】
ここで、前記第１時刻は、前記早期指示信号の最大持続時間の開始時刻又は終了時刻であり、又は、前記第１時刻は、前記早期指示信号の実際持続時間の開始時刻又は終了時刻である。
【００９４】
ここで、前記第２時刻は、ＰＤＣＣＨが存在する時間領域伝送単位の開始時刻又は終了時刻であり、ここで、時間領域伝送単位は、時間領域シンボル、サブフレーム及びスロットのいずれか１つを含む。
【００９５】
ここで、時間ギャップの時間長は、早期指示信号を受信する受信機のタイプと、端末が早期指示信号のみに基づいて下り同期を行う挙動、又は、端末が早期指示信号及び同期信号ブロックに基づいて下り同期を行う挙動、又は、端末が同期信号ブロックのみに基づいて下り同期を行う挙動を含む端末の所定挙動と、早期指示信号の周波数領域伝送リソース及び早期指示信号に対応するＰＤＣＣＨの周波数領域伝送リソースとの少なくとも１つに関連する。
【００９６】
ここで、第１時刻又は第２時刻は、ネットワーク機器によって端末に設定される。又は、第１時刻又は第２時刻は、端末の識別情報に基づいて端末によって特定される。
【００９７】
ここで、時間ギャップは、端末によって特定される。又は、時間ギャップは、ネットワーク機器によって端末に設定される。又は、時間ギャップは、プロトコルによって予め定義される。
【００９８】
ここで、時間ギャップは、ブロードキャストシグナリング、ＲＲＣシグナリング、ＭＡＣ  ＣＥ及びＰＤＣＣＨのうちの少なくとも１つを含む所定シグナリングを介して、ネットワーク機器によって１つの端末又は端末群に設定される。
【００９９】
ここで、端末６００は、時間ギャップがネットワーク機器によって端末に設定される場合、又は、時間ギャップがプロトコルによって予め定義される場合、早期指示信号に基づいて下り同期を行う方式、又は、早期指示信号及び同期信号ブロックに基づいて下り同期を行う方式、又は、同期信号ブロックに基づいて下り同期を行う方式を含む下り同期の目標同期方式を、時間ギャップに基づいて特定するための第２特定モジュールを更に含む。
【０１００】
なお、本開示の一部実施例の端末は、第１時刻と第２時刻との間の時間ギャップを特定し、この時間ギャップに基づいて、早期指示信号の時刻又は早期指示信号に対応するＰＤＣＣＨの時刻を特定することによって、対応する時刻になると検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【０１０１】
上記目的をよりよく実現するために、更に、図７は、本開示の各実施例を実現する端末のハードウェア構造図である。この端末７０は、ラジオ周波数ユニット７１と、ネットワークモジュール７２と、音声出力ユニット７３と、入力ユニット７４と、センサ７５と、表示ユニット７６と、ユーザ入力ユニット７７と、インタフェースユニット７８と、メモリ７９と、プロセッサ７１０と、電源７１１などの構成要素を含むが、これらに限定されない。図７に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【０１０２】
ここで、ラジオ周波数ユニット７１は、プロセッサ７１０による制御でデータを送受信することに用いられる。プロセッサ７１０は、早期指示信号が存在する時刻である第１時刻と、早期指示信号に対応するＰＤＣＣＨが存在する時刻である第２時刻との間の時間ギャップを取得することと、時間ギャップに基づいて、早期指示信号が存在する時刻又は早期指示信号に対応するＰＤＣＣＨが存在する時刻を特定することとに用いられる。
【０１０３】
本開示の一部実施例の端末は、第１時刻と第２時刻との間の時間ギャップを特定し、この時間ギャップに基づいて、早期指示信号の時刻又は早期指示信号に対応するＰＤＣＣＨの時刻を特定することによって、対応する時刻になると検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【０１０４】
本開示の一部実施例において、ラジオ周波数ユニット７１は、情報の送受信又は通話中で信号の送受信に用いられ、具体的に、基地局からのダウンリンクデータを受信した後、プロセッサ７１０による処理に供し、また、アップリンクデータを基地局に送信する。一般に、ラジオ周波数ユニット７１は、アンテナ、少なくとも１つの増幅器、トランシーバ、結合器、低雑音増幅器、デュプレクサなどを含むが、それらに限定されない。また、ラジオ周波数ユニット７１は、無線通信システムを介してネットワークや他の機器と通信を行うこともできる。
【０１０５】
端末は、ネットワークモジュール７２を介して、電子メールの送受信、ウェブページの閲覧、ストリーミングメディアへのアクセスを支援するなど、無線ブロードバンドインターネットアクセスをユーザに提供する。
【０１０６】
音声出力ユニット７３は、ラジオ周波数ユニット７１やネットワークモジュール７２が受信した音声データや、メモリ７９に記憶された音声データを音声信号に変換して音声として出力することができる。また、音声出力ユニット７３は、端末７０が実行する特定の機能に関する音声（例えば、呼出信号着信音、メッセージ着信音等）を出力してもよい。音声出力ユニット７３は、スピーカ、ブザー及びレシーバなどを含む。
【０１０７】
入力ユニット７４は、音声や映像の信号を受信することに用いられる。入力ユニット７４は、ビデオキャプチャモード又は画像キャプチャモードでカメラなどの画像キャプチャ装置によって取得された静止画又は動画の画像データを処理するＧＰＵ（Ｇｒａｐｈｉｃｓ  Ｐｒｏｃｅｓｓｉｎｇ  Ｕｎｉｔ）  ７４１と、マイク７４２とを含む。処理された画像フレームは、表示ユニット７６上に表示され得る。グラフィックスプロセッサ７４１で処理された画像フレームは、メモリ７９（又は他の記憶媒体）に記憶され得るか、又はラジオ周波数ユニット７１又はネットワークモジュール７２を介して送信され得る。マイク７４２は、音声を受信し、音声データに加工することができる。処理された音声データは、電話通話モードの場合、ラジオ周波数ユニット７１を介して移動体通信基地局に送信可能な形式に変換して出力することができる。
【０１０８】
端末７０は、光センサ、モーションセンサ及び他のセンサのような少なくとも１つのセンサ７５を更に含む。具体的には、光センサは、周辺光センサ及び近接センサを含む。周辺光センサは、周辺光の明暗に応じて表示パネル７６１の輝度を調節し、近接センサは、端末７０が耳に移動したときに表示パネル７６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ７５は、指紋センサ、圧力センサ、虹彩センサ、分子センサ、ジャイロスコープ、気圧計、湿度計、温度計、赤外線センサなどを更に含むことができるが、ここでは枚挙しない。
【０１０９】
表示ユニット７６は、ユーザが入力した情報やユーザに提供した情報を表示するために用いられる。表示ユニット７６は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などからなる表示パネル７６１を含んでもよい。
【０１１０】
ユーザ入力ユニット７７は、数字や文字情報の入力を受け付け、端末のユーザ設定や機能制御に関するキー信号の入力を生成することに用いられる。具体的に、ユーザ入力ユニット７７は、タッチパネル７７１と、その他の入力装置７７２とを含む。タッチパネル７７１は、タッチスクリーンとも呼ばれ、その上又は付近でのユーザのタッチ操作を取得可能である（たとえばユーザが指やスタイラスなどの任意の適切な物体や付属部材を用いたタッチパネル７７１の上又はタッチパネル７７１の付近での操作）。タッチパネル７７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ７１０に送り、プロセッサ７１０からの命令を受信して実行する。なお、タッチパネル７７１は、抵抗膜式、静電容量式、赤外線、表面弾性波など、種々の方式を用いて実現することができる。ユーザ入力ユニット７７は、タッチパネル７７１の他に、他の入力機器７７２を含んでもよい。具体的に、他の入力機器７７２は、物理的なキーボード、機能キー（例えば、音量調節キー、スイッチキーなど）、トラックボール、マウス、レバーを含むが、ここでは枚挙しない。
【０１１１】
更に、タッチパネル７７１は、表示パネル７６１に重ねられる。タッチパネル７７１は、その上又はその近くでタッチ操作を検出すると、プロセッサ７１０に送信して、タッチイベントのタイプを特定する。次いで、プロセッサ７１０は、タッチイベントのタイプに応じて、対応する視覚的出力を表示パネル７６１に提供する。図７では、タッチパネル７７１と表示パネル７６１は、独立した２つの部品として端末の入出力機能を実現するが、実施例によっては、タッチパネル７７１と表示パネル７６１を一体化して端末の入出力機能を実現することもでき、具体的にここでは限定しない。
【０１１２】
インタフェースユニット７８は、外部装置と端末７０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット７８は、外部装置から入力（たとえば、データ情報、電力など）を受信し、受信した入力を端末７０内の１つ以上の要素に伝送するために使用されてもよく、又は端末７０と外部装置との間でデータを伝送するために使用されてもよい。
【０１１３】
メモリ７９は、ソフトウェアプログラム及び様々なデータを格納するために使用される。メモリ７９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ７９は、高速ランダムアクセスメモリを含んでもよく、少なくとも１つの磁気ディスク記憶装置、フラッシュメモリデバイスなどの不揮発性メモリ又は他の揮発性固体記憶デバイスを含んでもよい。
【０１１４】
プロセッサ７１０は、端末の制御センタであり、各種インタフェースや回線を用いて端末全体の各部を接続し、メモリ７９に格納されたソフトウェアプログラム及び／又はモジュールを実行、メモリ７９に格納されたデータを呼び出して端末の各種機能及び処理データを実行し、端末全体の監視を行う。プロセッサ７１０は、１つ以上の処理ユニットを含んでもよい。選択可能に、プロセッサ７１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ７１０に統合されなくてもよいことが理解される。
【０１１５】
端末７０は、各構成要素に電力を供給するためのバッテリのような電源７１１を更に含んでもよい。選択可能に、電源７１１は、電源管理システムを介してプロセッサ７１０に論理的に接続されてもよく、電源管理システムを介して充電、放電、及び消費電力管理などを管理する機能を実現してもよい。
【０１１６】
また、端末７０は、図示しない機能モジュールを更に含んでもよく、ここでの説明は省略する。
【０１１７】
選択可能に、本開示の一部実施例は、プロセッサ７１０と、メモリ７９と、メモリ７９に記憶され、前記プロセッサ７１０で動作可能なコンピュータプログラムとを含む端末を更に提供し、このコンピュータプログラムがプロセッサ７１０によって実行されると、上記情報検出方法の実施例の各プロセスが実現され、且つ同一の技術効果を奏することもできるので、繰り返しを避けるためにここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、ＲＡＮ（Ｒａｄｉｏ  Ａｃｃｅｓｓ  Ｎｅｔｗｏｒｋ）を介して１つ又は複数のコアネットワークと通信可能である。無線端末は、移動電話（又は「セルラー」電話と称される）などの移動端末、移動端末を有するコンピュータなどである。たとえば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、サブスクライバーユニット（Ｓｕｂｓｃｒｉｂｅｒ  Ｕｎｉｔ）、サブスクライバー局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【０１１８】
本開示の一部実施例は、コンピュータプログラムが記憶されているコンピュータ読み取り可能な記憶媒体を更に提供し、当該コンピュータプログラムがプロセッサによって実行されると、上記の情報検出方法の実施例の各プロセスが実現され、かつ同じ技術効果を奏することもできるため、繰り返しを避けるために、ここでは繰り返して記載しない。ここで、前記コンピュータ読み取り可能な記憶媒体は、揮発性記憶媒体又は非揮発性記憶媒体であり、又は、揮発性記憶媒体及び非揮発性記憶媒体両方を含んでもよく、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１１９】
以上の実施例は、端末側から本開示の情報検出方法を紹介したが、以下、本実施例は、ネットワーク機器側の情報伝送方法について、図面を通じて更に紹介する。
【０１２０】
図８に示すように、本開示の一部実施例のネットワーク機器に応用される情報伝送方法は、以下のステップを含む。ステップ８１において、早期指示信号が存在する時刻である第１時刻と、早期指示信号に対応するＰＤＣＣＨが存在する時刻である第２時刻との間の時間ギャップを取得する。早期指示信号は、ウェイクアップ信号ＷＵＳとスリープ信号ＧＴＳの少なくとも１つを含む。時間ギャップは、端末によって特定されて報告される。又は、時間ギャップは、ネットワーク機器によって特定される。第１時刻又は第２時刻は、ネットワーク機器によって端末に設定される。又は、第１時刻又は第２時刻は、端末の識別情報に基づいて端末によって特定される。ステップ８２において、時間ギャップに基づいて、早期指示信号を伝送する時刻又は早期指示信号に対応するＰＤＣＣＨを伝送する時刻を特定する。
【０１２１】
ここで、ステップ８２は、以下の方式で実現可能であるが、それらに限定されない。方式１に対応し、第１時刻が特定された場合、第１時刻と時間ギャップとに基づいて、早期指示信号に対応するＰＤＣＣＨを伝送する時刻を特定する。ここで、第１時刻は、ネットワーク機器によって特定される。又は、第１時刻は、端末の識別情報（ＵＥ  ＩＤ）に基づいて端末によって特定されて報告される。又は、方式２に対応し、第２時刻が特定された場合、第２時刻と時間ギャップとに基づいて、早期指示信号を伝送する時刻を特定する。ここで、第２時刻は、ネットワーク機器によって特定される。又は、第２時刻は、端末の識別情報（ＵＥ  ＩＤ）に基づいて端末によって特定されて報告される。
【０１２２】
１つの実施例において、ステップ８２の後に、特定された早期指示信号を伝送する時刻で早期指示信号を伝送するステップ、又は、特定された早期指示信号に対応するＰＤＣＣＨを伝送する時刻でＰＤＣＣＨを伝送するステップを更に含む。
【０１２３】
選択可能に、前記早期指示信号を伝送する時刻を特定するステップは、早期指示信号を伝送する最大持続時間の開始時刻又は終了時刻を特定すること、又は、早期指示信号を伝送する実際持続時間の開始時刻又は終了時刻を特定することを含む。ここで、実際持続時間は、少なくとも一つであり、且つ各実際持続時間の開始時刻が早期指示信号の最大持続時間の開始時刻とは同じである。又は、実際持続時間は、少なくとも一つであり、且つ各実際持続時間の終了時刻が最大持続時間の終了時刻とは同じである。
【０１２４】
一部の実施例において、第１時刻は、早期指示信号の最大持続時間の開始時刻又は終了時刻である。すなわち、早期指示信号が存在する時刻は、早期指示信号の最大時刻時間の開始時刻又は終了時刻である。ここで、早期指示信号の最大持続時間の解釈として、早期指示信号の伝送信頼性を向上させるために、異なる端末又は異なるセルに対し、異なる早期指示信号の繰り返し回数をセットすることができ、異なる繰り返し回数は、１つの時間領域伝送単位に対し時間的に繰り返し送信を行うことに基づいて実現される。この時間領域伝送単位は、１つのフレーム、サブフレーム（ｓｕｂｆｒａｍｅ）、スロット（ｓｌｏｔ）又は時間領域シンボル（ＯＦＤＭシンボル）である。具体的な設定方式は、端末側の実施例を参照すればよく、ここでは繰り返して記載しない。
【０１２５】
又は、第１時刻は、早期指示信号の実際持続時間の開始時刻又は終了時刻であり、すなわち、早期指示信号が存在する時刻は、早期指示信号の実際持続時間の開始時刻又は終了時刻である。ここで、早期指示信号の実際の繰り返し回数に対応する持続時間は、早期指示信号の実際持続時間（ａｃｔｕａｌ  ｄｕｒａｔｉｏｎ）である。
【０１２６】
ここで、実際伝送時間は、最大持続時間内で１つの可能な位置（唯一の位置）しかなく、すなわち、早期指示信号の実際持続時間の開始時刻と、その最大持続時間の開始時刻との間に第１時間長のインターバルを有する。ここで、第１時間長は、０個の時間領域伝送単位以上である。第１時間長が０個の時間領域伝送単位である場合、早期指示信号の実際持続時間の開始時刻と最大持続時間の開始時刻とは同じである（すなわち、一致する）。又は、早期指示信号の実際持続時間の終了時刻とその最大持続時間の終了時刻との間に第２時間長のインターバルを有する。ここで、第２時間長は、０個の時間領域伝送単位以上である。第２時間長が０個の時間領域伝送単位である場合、早期指示信号の実際持続時間の終了時刻と最大持続時間の終了時刻とは同じである（すなわち、一致する）。
【０１２７】
選択可能に、第２時刻は、ＰＤＣＣＨが存在する時間領域伝送単位の開始時刻又は終了時刻であり、ここで、時間領域伝送単位は、時間領域シンボル、サブフレーム及びスロットのいずれか１つを含む。すなわち、ＰＤＣＣＨが存在する時刻は、ＰＤＣＣＨが存在するスロット、サブフレーム又は時間領域シンボルの開始時刻又は終了時刻である。
【０１２８】
ここで、時間ギャップの時間長は、早期指示信号を受信する受信機のタイプと、端末の所定挙動と、早期指示信号の周波数領域伝送リソース及び早期指示信号に対応するＰＤＣＣＨの周波数領域伝送リソースとの少なくとも１つに関連する。
【０１２９】
時間ギャップの時間長は、早期指示信号を受信する受信機のタイプに関連する。ここで、受信機のタイプは、マスタ受信機及び非マスタ受信機（又は、他の受信機、専用受信機と呼ばれる）を含む。すなわち、端末が独立した非マスタ受信機を用いて早期指示信号を受信した場合に対応する時間ギャップの時間長は、マスタ受信機を用いて早期指示信号を受信した場合に対応する時間ギャップの時間長とは異なる。
【０１３０】
時間ギャップの時間長は、端末の所定挙動に関連する。ここで、所定挙動は、端末が早期指示信号のみに基づいて下り同期を行うこと、又は、端末が早期指示信号と同期信号ブロックとに基づいて下り同期を行うこと、又は、端末が同期信号ブロックのみに基づいて下り同期を行うことを含む。端末がＷＵＳのみで下り同期を行う場合、ネットワーク機器が連続した複数のページング周期（ｐａｇｉｎｇ  ｃｙｃｌｅ）にわたってＤＴＸを送信すると、後続の端末が非ＤＴＸのＷＵＳを受信する際に下り同期のための時間が比較的長くなる可能性があり、ＷＵＳとＷＵＳに対応するＰＤＣＣＨとの間の時間ギャップが長くなる。端末が周期的にＳＳＢで下り同期を行うと、端末は、良好な下り同期を維持するように、その周期の大きさを柔軟に設定でき、後続の端末が非ＤＴＸのＷＵＳを受信する際に下り同期のための時間が比較的短くなり、ＷＵＳとＷＵＳに対応するＰＤＣＣＨとの間の時間ギャップが長くなる。そのため、端末の挙動が異なり、端末が報告する第１時間ギャップの値も異なる。
【０１３１】
時間ギャップの時間長は、早期指示信号の周波数領域伝送リソース及び早期指示信号に対応するＰＤＣＣＨの周波数領域伝送リソースに関連する。１つの実施例では、端末がＷＵＳ又はＧＴＳを受信する周波数領域リソースの中心周波数とＰＤＣＣＨを受信する周波数領域リソースの中心周波数とが異なることに対応する時間ギャップは、端末がＷＵＳ又はＧＴＳを受信する周波数領域リソースの中心周波数とＰＤＣＣＨを受信する周波数領域リソースの中心周波数とが同じであることに対応する時間ギャップよりも長い。ここで、周波数領域リソースは、ＢＷＰ、ｂａｎｄｗｉｄｔｈ、又はｃｈａｎｎｅｌである。
【０１３２】
ここで、時間ギャップは、端末によって特定されて報告される。又は、時間ギャップは、ネットワーク機器によって特定される。又は、前記時間ギャップは、プロトコルによって予め定義される。具体的には、上記時間ギャップは、端末によって特定される第１時間ギャップと、ネットワーク機器によって端末に対し特定される第２時間ギャップのうちの少なくとも１つを含む。
【０１３３】
時間ギャップが第２時間ギャップを含む場合、シーン２及びシーン３に対応し、ネットワーク機器は、以下の方式で第２時間ギャップを端末に設定し、すなわち、所定シグナリングを介して、時間ギャップを端末に送信する。ここで、所定シグナリングは、ブロードキャストシグナリング、ＲＲＣシグナリング、ＭＡＣ  ＣＥ及びＰＤＣＣＨのうちの少なくとも１つを含む。
【０１３４】
なお、上記の端末側に適用する実施例は、すべてネットワーク機器の実施例に適用するため、ここでは繰り返して記載しない。本開示の一部実施例の情報伝送方法において、ネットワーク機器が第１時刻と第２時刻との間の時間ギャップを特定し、この時間ギャップに基づいて、早期指示信号の伝送時刻又は早期指示信号に対応するＰＤＣＣＨの伝送時刻を特定することによって、端末が時間ギャップに基づいて対応する時刻を特定し、対応する時刻で検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【０１３５】
以上の実施例は、異なるシーンにおける情報伝送方法を紹介したが、以下、それに対応するネットワーク機器について、図面を通じて更に紹介する。
【０１３６】
図９に示すように、本開示の一部実施例のネットワーク機器９００は、上記実施例で第１時刻と第２時刻との間の時間ギャップを取得し、時間ギャップに基づいて、早期指示信号を伝送する時刻又は早期指示信号に対応するＰＤＣＣＨを伝送する時刻を特定する方法の細部を実現可能であり、同じ効果を奏することもできる。このネットワーク機器９００は、具体的には、早期指示信号が存在する時刻である第１時刻と、早期指示信号に対応するＰＤＣＣＨが存在する時刻である第２時刻との間の時間ギャップを取得するための第２取得モジュール９１０と、時間ギャップに基づいて、早期指示信号を伝送する時刻を伝送する時刻又は早期指示信号に対応するＰＤＣＣＨを伝送する時刻を特定するための第３特定モジュール９２０とを含む。
【０１３７】
ここで、ネットワーク機器９００は、特定された早期指示信号を伝送する時刻で早期指示信号を伝送し、又は、特定された早期指示信号に対応するＰＤＣＣＨを伝送する時刻でＰＤＣＣＨを伝送するための第１伝送モジュールを更に含んでもよい。
【０１３８】
ここで、第３特定モジュール９２０は、第１時刻が特定された場合、第１時刻と時間ギャップとに基づいて、早期指示信号に対応するＰＤＣＣＨを伝送する時刻を特定するための第３特定サブモジュールを含む。
【０１３９】
ここで、第３特定モジュール９２０は、第２時刻が特定された場合、第２時刻と時間ギャップとに基づいて、早期指示信号を伝送する時刻を特定するための第４特定サブモジュールを含む。
【０１４０】
ここで、前記第４特定サブモジュールは、前記早期指示信号を伝送する最大持続時間の開始時刻又は終了時刻を特定するための第３特定ユニット、又は、前記早期指示信号を伝送する実際持続時間の開始時刻又は終了時刻を特定するための第４特定ユニットを含む。
【０１４１】
ここで、前記実際持続時間は、少なくとも一つであり、且つ各実際持続時間の開始時刻が前記早期指示信号の最大持続時間の開始時刻とは同じである。又は、実際持続時間は、少なくとも一つであり、且つ各実際持続時間の終了時刻が前記最大持続時間の終了時刻とは同じである。
【０１４２】
ここで、第１時刻は、早期指示信号の最大持続時間の開始時刻又は終了時刻であり、又は、第１時刻は、早期指示信号の実際持続時間の開始時刻又は終了時刻である。
【０１４３】
ここで、実際持続時間の開始時刻と最大持続時間の開始時刻は、第１時間長のインターバルを有する。又は、実際持続時間の終了時刻と最大持続時間の終了時刻は、第２時間長のインターバルを有する。
【０１４４】
ここで、実際持続時間の開始時刻は、最大持続時間の開始時刻とは同じであり、又は、実際持続時間の終了時刻は、最大持続時間の終了時刻とは同じである。
【０１４５】
ここで、第２時刻は、ＰＤＣＣＨが存在する時間領域伝送単位の開始時刻又は終了時刻であり、ここで、時間領域伝送単位は、時間領域シンボル、サブフレーム及びスロットのいずれか１つを含む。
【０１４６】
ここで、時間ギャップの時間長は、早期指示信号を受信する受信機のタイプと、端末が早期指示信号のみに基づいて下り同期を行う挙動、又は、端末が早期指示信号及び同期信号ブロックに基づいて下り同期を行う挙動、又は、端末が同期信号ブロックのみに基づいて下り同期を行う挙動を含む端末の所定挙動と、早期指示信号の周波数領域伝送リソース及び早期指示信号に対応するＰＤＣＣＨの周波数領域伝送リソースとの少なくとも１つに関連する。
【０１４７】
ここで、時間ギャップは、端末によって特定されて報告される。又は、時間ギャップは、ネットワーク機器によって特定される。又は、時間ギャップは、プロトコルによって予め定義される。
【０１４８】
ここで、ネットワーク機器９００は、時間ギャップがネットワーク機器によって特定される場合、ブロードキャストシグナリング、ＲＲＣシグナリング、ＭＡＣ  ＣＥ及びＰＤＣＣＨのうちの少なくとも１つを含む所定シグナリングを介して、時間ギャップを端末に送信するための送信モジュールを更に含む。
【０１４９】
なお、本開示の一部実施例のネットワーク機器は、第１時刻と第２時刻との間の時間ギャップを特定し、この時間ギャップに基づいて、早期指示信号の伝送時刻又は早期指示信号に対応するＰＤＣＣＨの伝送時刻を特定する。これによって、端末は、時間ギャップに基づいて、対応する時刻を特定し、対応する時刻で検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【０１５０】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、特定モジュールは、個別に設けられた処理素子であってもよいし、上記装置のいずれかのチップに集積されて実現されてもよく、また、プログラムコードの形態で上記装置のメモリに記憶され、上記装置のある１つの処理素子によって上記特定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１５１】
例えば、上記モジュールは、上記方法を実施するように構成された１つ又は複数の集積回路、例えば、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、１つ又は複数のＤＳＰ（ｄｉｇｉｔａｌ  ｓｉｇｎａｌ  ｐｒｏｃｅｓｓｏｒ）、又は１つ又は複数のＦＰＧＡ（Ｆｉｅｌｄ  Ｐｒｏｇｒａｍｍａｂｌｅ  Ｇａｔｅ  Ａｒｒａｙ）などである。また、上記モジュールが、処理素子でプログラムコードを呼び出す形態で実現される場合、この処理素子は、ＣＰＵ（Ｃｅｎｔｒａｌ  Ｐｒｏｃｅｓｓｉｎｇ  Ｕｎｉｔ）などの汎用プロセッサ、又は、プログラムコードを呼び出すことができる他のプロセッサである。また、これらのモジュールは、一体化されてＳＯＣ（ｓｙｓｔｅｍ−ｏｎ−ａ−ｃｈｉｐ）の形態で実現されてもよい。
【０１５２】
上記目的をよりよく実現するために、本開示の実施例は、プロセッサと、メモリと、メモリに記憶され、プロセッサで動作可能なコンピュータプログラムを含むネットワーク機器を更に提供し、プロセッサは、コンピュータプログラムを実行すると、上記の情報伝送方法のステップを実現する。発明の実施例は、コンピュータプログラムが記憶されているコンピュータ読み取り可能な記憶媒体を更に提供し、コンピュータプログラムがプロセッサによって実行されると、上記の情報伝送方法のステップが実現される。
【０１５３】
具体的には、本開示の実施例は、ネットワーク機器を更に提供する。図１０に示すように、このネットワーク機器１０００は、アンテナ１０１と、ラジオ周波数装置１０２と、ベースバンド装置１０３を含む。アンテナ１０１は、ラジオ周波数装置１０２に接続される。上り方向では、ラジオ周波数装置１０２は、アンテナ１０１を介して情報を受信し、受信した情報をベースバンド装置１０３に送信して処理する。下り方向では、ベースバンド装置１０３は、送信すべき情報を処理してラジオ周波数装置１０２に送信する。ラジオ周波数装置１０２は、受信した情報を処理してアンテナ１０１を介して送信する。
【０１５４】
上記周波数帯域処理装置は、ベースバンド装置１０３に位置してもよく、上記実施例でネットワーク機器によって実行される方法は、ベースバンド装置１０３で実現可能である。このベースバンド装置１０３は、プロセッサ１０４とメモリ１０５を含む。
【０１５５】
ベースバンド装置１０３は、例えば少なくとも１つのベースバンドボードを含む。このベースバンドボードには、複数のチップが設けられている。図１０に示すように、そのうちの１つのチップは、例えばプロセッサ１０４である。プロセッサ１０４は、メモリ１０５に接続され、メモリ１０５の中のプログラムを呼び出すことによって、上記方法実施例に示されるネットワーク機器の操作を実行する。
【０１５６】
このベースバンド装置１０３は、ラジオ周波数装置１０２との情報のやり取りに用いられるネットワークインターフェース１０６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【０１５７】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数の集積回路、例えば１つ又は複数のＤＳＰ、又は１つ又は複数のＦＰＧＡなどである。記憶素子は、１つのメモリであってもよく、複数の記憶素子の総称であってもよい。
【０１５８】
メモリ１０５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ１０５は、これらに限られず、これら及びこれら以外の任意の適合する種類のメモリを含むとする。
【０１５９】
具体的には、本開示の一部実施例のネットワーク機器は、メモリ１０５に記憶され、プロセッサ１０４で動作可能なコンピュータプログラムを更に含む。プロセッサ１０４は、メモリ１０５の中のコンピュータプログラムを呼び出して、図９に示す各モジュールによって実行される方法を実行する。
【０１６０】
具体的には、コンピュータプログラムは、プロセッサ１０４によって呼び出されると、早期指示信号が存在する時刻である第１時刻と、早期指示信号に対応する物理下り制御チャネルＰＤＣＣＨが存在する時刻である第２時刻との間の時間ギャップを取得することと、時間ギャップに基づいて、早期指示信号を伝送する時刻又は早期指示信号に対応するＰＤＣＣＨを伝送する時刻を特定することとを実行することに用いられる。
【０１６１】
具体的には、コンピュータプログラムは、プロセッサ１０４によって呼び出されると、第１時刻が特定された場合、第１時刻と時間ギャップとに基づいて、早期指示信号に対応するＰＤＣＣＨを伝送する時刻を特定することを実行することに用いられる。
【０１６２】
具体的には、コンピュータプログラムは、プロセッサ１０４によって呼び出されると、第２時刻が特定された場合、第２時刻と時間ギャップとに基づいて、早期指示信号を伝送する時刻を特定することを実行することに用いられる。
【０１６３】
具体的には、コンピュータプログラムは、プロセッサ１０４によって呼び出されると、早期指示信号を伝送する最大持続時間の開始時刻又は終了時刻を特定すること、又は、早期指示信号を伝送する実際持続時間の開始時刻又は終了時刻を特定することを実行することに用いられる。
【０１６４】
ここで、実際持続時間は、少なくとも一つであり、且つ各実際持続時間の開始時刻が早期指示信号の最大持続時間の開始時刻とは同じであり、又は、実際持続時間は、少なくとも一つであり、且つ各実際持続時間の終了時刻が最大持続時間の終了時刻とは同じである。
【０１６５】
ここで、第１時刻は、早期指示信号の最大持続時間の開始時刻又は終了時刻であり、又は、第１時刻は、早期指示信号の実際持続時間の開始時刻又は終了時刻である。
【０１６６】
ここで、第２時刻は、ＰＤＣＣＨが存在する時間領域伝送単位の開始時刻又は終了時刻であり、ここで、時間領域伝送単位は、時間領域シンボル、サブフレーム及びスロットのいずれか１つを含む。
【０１６７】
ここで、時間ギャップの時間長は、早期指示信号を受信する受信機のタイプと、端末が早期指示信号のみに基づいて下り同期を行う挙動、又は、端末が早期指示信号及び同期信号ブロックに基づいて下り同期を行う挙動、又は、端末が同期信号ブロックのみに基づいて下り同期を行う挙動を含む端末の所定挙動と、早期指示信号の周波数領域伝送リソース及び早期指示信号に対応するＰＤＣＣＨの周波数領域伝送リソースとの少なくとも１つに関連する。
【０１６８】
ここで、時間ギャップは、端末によって特定されて報告される。又は、時間ギャップは、ネットワーク機器によって特定される。又は、時間ギャップは、プロトコルによって予め定義される。
【０１６９】
ここで、時間ギャップがネットワーク機器によって特定される場合、コンピュータプログラムは、プロセッサ１０４によって呼び出されると、ブロードキャストシグナリング、ＲＲＣシグナリング、ＭＡＣ  ＣＥ及びＰＤＣＣＨのうちの少なくとも１つを含む所定シグナリングを介して、時間ギャップを端末に送信することを実行することに用いられる。
【０１７０】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ(登録商標)（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１７１】
本開示の実施例におけるネットワーク機器は、ネットワーク機器が第１時刻と第２時刻との間の時間ギャップを特定し、この時間ギャップに基づいて、早期指示信号の伝送時刻又は早期指示信号に対応するＰＤＣＣＨの伝送時刻を特定する。これによって、端末は、時間ギャップに基づいて、対応する時刻を特定し、対応する時刻で検出を行うことができるので、端末によるブラインド検出の複雑度及び検出電力消費を更に低下させることができる。又は、本開示の一部実施例において、異なるタイプ及び能力の端末に応じて異なる時間長の時間ギャップを特定することができるので、早期指示信号から対応するＰＤＣＣＨまでの必要のない遅延を短縮することができる。
【０１７２】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１７３】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１７４】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１７５】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１７６】
また、本開示の各実施例における各機能的ユニットは、１つの処理ユニットに一体化されていてもよいし、物理的に別々に存在していてもよいし、２つ以上が一体化されてもよい。
【０１７７】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ機器（パーソナルコンピュータ、サーバ、又はネットワーク機器であってもよい）に実行させるいくつかの指令を含む。前記記憶媒体は、ＵＳＢディスク、モバイルハードディスク、ＲＯＭ、ＲＡＭ、磁気ディスク又は光ディスクなど、プログラムコードを格納することができる様々な媒体を含む。
【０１７８】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１７９】
従って、本開示の目的は、任意の計算装置で１つ又は一連のプログラムを実行することによっても実現される。前記計算装置は、周知されている汎用装置である。従って、本開示の目的は、前記方法又は装置を実現するプログラムコードを含むプログラムプロダクトの提供のみでも実現される。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１８０】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【符号の説明】
【０１８１】
７０  端末
７１  ラジオ周波数ユニット
７２  ネットワークモジュール
７３  音声出力ユニット
７４  入力ユニット
７５  センサ
７６  表示ユニット
７７  ユーザ入力ユニット
７８  インターフェイスユニット
７９  メモリ
１０１  アンテナ
１０２  ラジオ周波数装置
１０３  ベースバンド装置
１０４  プロセッサ
１０５  メモリ
１０６  ネットワークインターフェース
６００  端末
６１０  第１取得モジュール
６２０  第１特定モジュール
７１０  プロセッサ
７１１  電源
７４１  グラフィックスプロセッサ
７４２  マイク
７６１  表示パネル
７７１  タッチパネル
７７２  入力装置
７７２  入力機器
９００  ネットワーク機器
９１０  第２取得モジュール
９２０  第３特定モジュール
１０００  ネットワーク機器
【図１】
2021519044.tif 000003
【図２】
2021519044.tif 000004
【図３】
2021519044.tif 000005
【図４】
2021519044.tif 000006
【図５】
2021519044.tif 000007
【図６】
2021519044.tif 000008
【図７】
2021519044.tif 000009
【図８】
2021519044.tif 000010
【図９】
2021519044.tif 000011
【図１０】
2021519044.tif 000012
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
端末に応用される情報検出方法であって、
早期指示信号が存在する時刻である第１時刻と、前記早期指示信号に対応するＰＤＣＣＨ（Ｐｈｙｓｉｃａｌ  Ｄｏｗｎｌｉｎｋ  Ｃｏｎｔｒｏｌ  Ｃｈａｎｎｅｌ）が存在する時刻である第２時刻との間の時間ギャップを取得することと、
前記時間ギャップに基づいて、前記早期指示信号が存在する時刻又は前記早期指示信号に対応するＰＤＣＣＨが存在する時刻を特定することとを含む、情報検出方法。
【請求項２】
前記の前記時間ギャップに基づいて、前記早期指示信号に対応するＰＤＣＣＨが存在する時刻を特定することは、
前記第１時刻が特定された場合、前記第１時刻と前記時間ギャップとに基づいて、前記早期指示信号に対応するＰＤＣＣＨが存在する時刻を特定することを含み、
又は、
前記第２時刻が特定された場合、前記第２時刻と前記時間ギャップとに基づいて、前記早期指示信号が存在する時刻を特定することを含む、請求項１に記載の情報検出方法。
【請求項３】
前記の前記早期指示信号が存在する時刻を特定することは、
前記早期指示信号の最大持続時間の開始時刻又は終了時刻を特定すること、
又は、
前記早期指示信号の実際持続時間の開始時刻又は終了時刻を特定することを含む、請求項２に記載の情報検出方法。
【請求項４】
前記実際持続時間は、少なくとも一つであり、且つ各実際持続時間の開始時刻が前記早期指示信号の最大持続時間の開始時刻とは同じであり、
又は、前記実際持続時間は、少なくとも一つであり、且つ各実際持続時間の終了時刻が前記最大持続時間の終了時刻とは同じである、請求項３に記載の情報検出方法。
【請求項５】
前記実際持続時間が少なくとも２つである場合、前記の前記早期指示信号の実際持続時間の開始時刻又は終了時刻を特定することの後に、
少なくとも２つの実際持続時間に対しブラインド検出を行うことを更に含む、請求項３に記載の情報検出方法。
【請求項６】
前記第１時刻は、前記早期指示信号の最大持続時間の開始時刻又は終了時刻であり、又は、前記第１時刻は、前記早期指示信号の実際持続時間の開始時刻又は終了時刻であり、
又は、
前記第２時刻は、前記ＰＤＣＣＨが存在する時間領域伝送単位の開始時刻又は終了時刻であり、ここで、前記時間領域伝送単位は、時間領域シンボル、サブフレーム及びスロットのいずれか１つを含む、請求項１に記載の情報検出方法。
【請求項７】
前記時間ギャップの時間長は、
前記早期指示信号を受信する受信機のタイプと、
前記端末が前記早期指示信号のみに基づいて下り同期を行う挙動、又は、前記端末が前記早期指示信号及び同期信号ブロックに基づいて下り同期を行う挙動、又は、前記端末が同期信号ブロックのみに基づいて下り同期を行う挙動を含む端末の所定挙動と、
前記早期指示信号の周波数領域伝送リソース及び前記早期指示信号に対応するＰＤＣＣＨの周波数領域伝送リソースと、の少なくとも１つに関連する、請求項１に記載の情報検出方法。
【請求項８】
前記時間ギャップは、前記端末によって特定され、
又は、前記時間ギャップは、ネットワーク機器によって前記端末に設定され、
又は、前記時間ギャップは、プロトコルによって予め定義され、
ここで、前記時間ギャップは、ブロードキャストシグナリング、ＲＲＣ（Ｒａｄｉｏ Ｒｅｓｏｕｒｃｅ Ｃｏｎｔｒｏｌ）シグナリング、ＭＡＣ（Ｍｅｄｉａ Ａｃｃｅｓｓ Ｃｏｎｔｒｏｌ）ＣＥ（Ｃｏｎｔｒｏｌ Ｅｌｅｍｅｎｔ）及びＰＤＣＣＨのうちの少なくとも１つを含む所定シグナリングを介して、前記ネットワーク機器によって１つの端末又は端末群に設定される、請求項１に記載の情報検出方法。
【請求項９】
前記時間ギャップがネットワーク機器によって前記端末に設定される場合、又は、前記時間ギャップがプロトコルによって予め定義される場合、前記の前記第１時刻と前記第２時刻との間の時間ギャップを取得することの後に、
前記早期指示信号に基づいて下り同期を行う方式、又は、前記早期指示信号及び同期信号ブロックに基づいて下り同期を行う方式、又は、同期信号ブロックに基づいて下り同期を行う方式を含む下り同期の目標同期方式を、前記時間ギャップに基づいて特定することを更に含む、請求項８に記載の情報検出方法。
【請求項１０】
早期指示信号が存在する時刻である第１時刻と、前記早期指示信号に対応するＰＤＣＣＨが存在する時刻である第２時刻との間の時間ギャップを取得するための第１取得モジュールと、
前記時間ギャップに基づいて、前記早期指示信号が存在する時刻又は前記早期指示信号に対応するＰＤＣＣＨが存在する時刻を特定するための第１特定モジュールとを含む、端末。
【請求項１１】
ネットワーク機器に応用される情報伝送方法であって、
早期指示信号が存在する時刻である第１時刻と、前記早期指示信号に対応するＰＤＣＣＨが存在する時刻である第２時刻との間の時間ギャップを取得することと、
前記時間ギャップに基づいて、前記早期指示信号を伝送する時刻又は前記早期指示信号に対応するＰＤＣＣＨを伝送する時刻を特定することとを含む、情報伝送方法。
【請求項１２】
前記の前記時間ギャップに基づいて、前記早期指示信号に対応するＰＤＣＣＨを伝送する時刻を特定することは、
前記第１時刻が特定された場合、前記第１時刻と前記時間ギャップとに基づいて、前記早期指示信号に対応するＰＤＣＣＨを伝送する時刻を特定することを含み、又は、
前記第２時刻が特定された場合、前記第２時刻と前記時間ギャップとに基づいて、前記早期指示信号を伝送する時刻を特定することを含む、請求項１１に記載の情報伝送方法。
【請求項１３】
前記第１時刻は、前記早期指示信号の最大持続時間の開始時刻又は終了時刻であり、又は、前記第１時刻は、前記早期指示信号の実際持続時間の開始時刻又は終了時刻であり、
又は、
前記第２時刻は、前記ＰＤＣＣＨが存在する時間領域伝送単位の開始時刻又は終了時刻であり、ここで、前記時間領域伝送単位は、時間領域シンボル、サブフレーム及びスロットのいずれか１つを含む、請求項１１に記載の情報伝送方法。
【請求項１４】
前記時間ギャップは、端末によって特定されて報告され、
又は、前記時間ギャップは、ネットワーク機器によって特定され、
又は、前記時間ギャップは、プロトコルによって予め定義される、請求項１１に記載の情報伝送方法。
【請求項１５】
早期指示信号が存在する時刻である第１時刻と、前記早期指示信号に対応するＰＤＣＣＨが存在する時刻である第２時刻との間の時間ギャップを取得するための第２取得モジュールと、
前記時間ギャップに基づいて、前記早期指示信号を伝送する時刻又は前記早期指示信号に対応するＰＤＣＣＨを伝送する時刻を特定するための第３特定モジュールとを含む、ネットワーク機器。
【国際調査報告】
2021519044.tif 000013
2021519044.tif 000014
2021519044.tif 000015
2021519044.tif 000016